(57)【要約】【課題】大入賞口の閉鎖時間を短くして規定数の遊技球を短時間で入球させることが容易なぱちんこ遊技機を提供する。【解決手段】後側大入賞部材２０１の大入賞口２０１ａを通過して内部空間ＩＳに受容された遊技球が通路底部２０２を右側から左側へ向けて流下可能に構成され、通路底部２０２の中間部に、通路底部２０２の上流部２０２ａを流下する遊技球が入球可能なメイン側入球口が形成され、通路底部２０２の左端部に、通路底部２０２の下流部２０２ｂを流下する遊技球が入球可能なサブ側入球口が形成されており、複数のラウンドの間において大入賞口開閉部材２３１により大入賞口２０１ａを閉鎖するラウンド間閉鎖時間は、閉鎖位置にスライド移動した大入賞口開閉部材２３１の上面の右側から左側までを遊技球が流下する設計的な時間よりも短い時間に設定される。【選択図】図２０
2020049384.tif 000002
【特許請求の範囲】
【請求項１】
板状に形成されて前面側に所定の遊技領域が形成されるベース部材、前記遊技領域に設けられた遊技球が通過可能な始動入賞口を有する始動入賞装置および、前記遊技領域に設けられた開閉型入賞装置を有した遊技盤と、
前記始動入賞口への遊技球の入球に基づいて特別遊技を行うか否かの判定を行う当否判定手段および、前記特別遊技として前記開閉型入賞装置を入賞容易にした遊技を実行可能にする開閉入賞装置制御手段を有した遊技制御手段と、を備えた弾球遊技機であって、
前記開閉型入賞装置は、遊技球が通過可能な開閉入賞口を有する入賞部材と、前記開閉入賞口を開閉可能な入賞口開閉部材とを有し、
前記入賞部材は、前記開閉入賞口を通過した遊技球を受容可能な内部空間を有して、前記開閉入賞口が上方を向くように左右方向に延びて形成され、
前記入賞口開閉部材は、前記開閉入賞口に合わせて左右方向に延びて形成され、前記遊技領域の前側へ前進して前記開閉入賞口を閉鎖する閉鎖位置と、前記閉鎖位置から後退して前記開閉入賞口を開放する開放位置とにスライド移動に設けられ、前記入賞口開閉部材の上面が左右方向の一端側から他端側へ下方に傾斜して、前記閉鎖位置にスライド移動した前記入賞口開閉部材の上面を遊技球が流下可能に構成され、
前記入賞部材は、左右方向に延びて前記内部空間における前記開閉入賞口と反対側の部分を覆う通路底部をさらに有し、前記開閉入賞口を通過して前記内部空間に受容された遊技球が前記通路底部を一端側から他端側へ向けて流下可能に構成され、
前記通路底部の中間部に、前記通路底部の一端側を流下する遊技球が入球可能なメイン側入球口が形成され、前記メイン側入球口に、前記メイン側入球口に入球した遊技球を検出可能なメイン側検出センサが設けられ、
前記通路底部の他端部に、前記通路底部の他端側を流下する遊技球が入球可能なサブ側入球口が形成され、前記サブ側入球口に、前記サブ側入球口に入球した遊技球を検出可能なサブ側検出センサが設けられ、
前記遊技領域の一部に、前記入賞部材の上方に遊技球を導く流路が設けられ、前記入賞口開閉部材が前記開閉入賞口を開放する場合に、前記流路に導かれて前記入賞部材の上方に達した遊技球の半数以上が、前記入賞部材の前記開閉入賞口を通過して前記内部空間における前記通路底部の一端側へ流下するように設定されており、
前記開閉入賞装置制御手段は、前記特別遊技として、前記入賞口開閉部材により前記開閉入賞口を開放して前記開閉型入賞装置を入賞容易にした遊技を、複数のラウンドに亘り実行可能にし、前記複数のラウンドの間において前記入賞口開閉部材により前記開閉入賞口を閉鎖するラウンド間閉鎖時間が、前記閉鎖位置にスライド移動した前記入賞口開閉部材の上面の一端側から他端側までを遊技球が流下する設計的な時間よりも短い時間に設定されることを特徴とする弾球遊技機。
【発明の詳細な説明】
【技術分野】
【０００１】
本発明は、ぱちんこ遊技機等の弾球遊技機に関する。
【背景技術】
【０００２】
ぱちんこ遊技機には、遊技領域を構成する遊技盤のほぼ中央にセンター飾りを配置し、このセンター飾りに液晶ディスプレイ等の演出表示装置を設けたものが知られている。このようなぱちんこ遊技機は、遊技領域内に設けられた始動入賞口に遊技球が入球したことを契機として、演出表示装置において複数の図柄（装飾図柄）を変動させた後に停止表示したときの図柄の組み合わせが予め設定された当たり図柄であった場合、特別遊技状態（大当り）を成立させるように構成されている。特別遊技状態においては、遊技領域内に設けられたアタッカーと称される開閉型入賞装置の開閉入賞口を開放して遊技球の入球を容易にし、これにより遊技者が大量の賞球を獲得できるようになっている。
【０００３】
近年、２つの開閉入賞口が上下に並ぶように配置されて、ラウンド毎に２つの開閉入賞口を片方ずつ交互に開放可能な開閉型入賞装置が考案されている（例えば、特許文献１を参照）。このようにすれば、開閉入賞口が１つだけ配置された場合に、各ラウンドの間に閉鎖された開閉入賞口に入球できずにアウト球として排出される遊技球（いわゆる、無駄玉）が発生するのを防止することができる。
【先行技術文献】
【特許文献】
【０００４】
【特許文献１】特開２０１３−２０５１１７号公報
【発明の概要】
【発明が解決しようとする課題】
【０００５】
しかしながら、このような開閉型入賞装置では、２つの開閉入賞口が上下に並ぶように配置されるため、２つの開閉入賞口を個別に開閉させる開閉装置がそれぞれ必要となり、装置が大きくなっていた。
【０００６】
本発明は、このような課題に鑑みてなされたものであり、開閉入賞口の閉鎖時間を短くして規定数の遊技球を短時間で入球させることが容易な弾球遊技機を提供することを目的とする。
【課題を解決するための手段】
【０００７】
このような目的達成のため、本発明に係る弾球遊技機は、板状に形成されて前面側に所定の遊技領域が形成されるベース部材、前記遊技領域に設けられた遊技球が通過可能な始動入賞口を有する始動入賞装置および、前記遊技領域に設けられた開閉型入賞装置を有した遊技盤と、前記始動入賞口への遊技球の入球に基づいて特別遊技を行うか否かの判定を行う当否判定手段および、前記特別遊技として前記開閉型入賞装置を入賞容易にした遊技を実行可能にする開閉入賞装置制御手段を有した遊技制御手段と、を備えた弾球遊技機であって、前記開閉型入賞装置は、遊技球が通過可能な開閉入賞口を有する入賞部材と、前記開閉入賞口を開閉可能な入賞口開閉部材とを有し、前記入賞部材は、前記開閉入賞口を通過した遊技球を受容可能な内部空間を有して、前記開閉入賞口が上方を向くように左右方向に延びて形成され、前記入賞口開閉部材は、前記開閉入賞口に合わせて左右方向に延びて形成され、前記遊技領域の前側へ前進して前記開閉入賞口を閉鎖する閉鎖位置と、前記閉鎖位置から後退して前記開閉入賞口を開放する開放位置とにスライド移動に設けられ、前記入賞口開閉部材の上面が左右方向の一端側から他端側へ下方に傾斜して、前記閉鎖位置にスライド移動した前記入賞口開閉部材の上面を遊技球が流下可能に構成され、前記入賞部材は、左右方向に延びて前記内部空間における前記開閉入賞口と反対側の部分を覆う通路底部をさらに有し、前記開閉入賞口を通過して前記内部空間に受容された遊技球が前記通路底部を一端側から他端側へ向けて流下可能に構成され、前記通路底部の中間部に、前記通路底部の一端側を流下する遊技球が入球可能なメイン側入球口が形成され、前記メイン側入球口に、前記メイン側入球口に入球した遊技球を検出可能なメイン側検出センサが設けられ、前記通路底部の他端部に、前記通路底部の他端側を流下する遊技球が入球可能なサブ側入球口が形成され、前記サブ側入球口に、前記サブ側入球口に入球した遊技球を検出可能なサブ側検出センサが設けられ、前記遊技領域の一部に、前記入賞部材の上方に遊技球を導く流路が設けられ、前記入賞口開閉部材が前記開閉入賞口を開放する場合に、前記流路に導かれて前記入賞部材の上方に達した遊技球の半数以上が、前記入賞部材の前記開閉入賞口を通過して前記内部空間における前記通路底部の一端側へ流下するように設定されており、前記開閉入賞装置制御手段は、前記特別遊技として、前記入賞口開閉部材により前記開閉入賞口を開放して前記開閉型入賞装置を入賞容易にした遊技を、複数のラウンドに亘り実行可能にし、前記複数のラウンドの間において前記入賞口開閉部材により前記開閉入賞口を閉鎖するラウンド間閉鎖時間が、前記閉鎖位置にスライド移動した前記入賞口開閉部材の上面の一端側から他端側までを遊技球が流下する設計的な時間よりも短い時間に設定される。
【発明の効果】
【０００８】
本発明によれば、開閉入賞口の閉鎖時間を短くして規定数の遊技球を短時間で入球させることができる。
【図面の簡単な説明】
【０００９】
【図１】ぱちんこ遊技機の正面図である。
【図２】ぱちんこ遊技機の背面図である。
【図３】前枠の正面図である。
【図４】遊技盤の正面図である。
【図５】遊技盤の下部正面側を示す部分断面図である。
【図６】図４中の矢印VI−VIに沿った断面図である。
【図７】図４中の矢印VII−VIIに沿った断面図である。
【図８】大入賞装置の側断面図である。
【図９】大入賞装置の前側部分を後方から見た分解斜視図である。
【図１０】大入賞装置の前側部分を前方から見た分解斜視図である。
【図１１】（ａ）は大入賞装置の後側入賞ユニットを示す正面図であり、（ｂ）は後側入賞ユニットを示す斜視図である。
【図１２】大入賞装置の後側部分を前方から見た分解斜視図である。
【図１３】大入賞装置の後側部分を後方から見た分解斜視図である。
【図１４】（ａ）は前側大入賞部材の斜視図であり、（ｂ）は前側大入賞部材の平面図である。
【図１５】後側入賞ユニットを上方から見た分解斜視図である。
【図１６】後側入賞ユニットを下方から見た分解斜視図である。
【図１７】（ａ）は大入賞口開閉部材を開放位置にスライド移動させたスライド駆動部の平面図であり、（ｂ）は大入賞口開閉部材を閉鎖位置にスライド移動させたスライド駆動部の平面図である。
【図１８】大入賞口が閉鎖された遊技盤の下部正面側を示す部分断面図である。
【図１９】（ａ）は大入賞口が閉鎖された後側入賞ユニットを前方から見た斜視図であり、（ｂ）は大入賞口が閉鎖された後側入賞ユニットを上方から見た斜視図である。
【図２０】大入賞口が開放された遊技盤の下部正面側を示す部分断面図である。
【図２１】（ａ）は大入賞口が開放された後側入賞ユニットを前方から見た斜視図であり、（ｂ）は大入賞口が開放された後側入賞ユニットを上方から見た斜視図である。
【図２２】大入賞口が閉鎖された大入賞装置の平面図である。
【図２３】（ａ）は大入賞口が開放後に再び閉鎖された後側入賞ユニットを前方から見た斜視図であり、（ｂ）は大入賞口が開放後に閉鎖された後側入賞ユニットを上方から見た斜視図である。
【図２４】大入賞口が閉鎖された後側大入賞部材の内部空間を示す拡大斜視図である。
【図２５】（ａ）は大入賞口が閉鎖状態のときの遊技球の流れを示す模式図であり、（ｂ）は大入賞口が開放状態のときの遊技球の流れを示す模式図である。
【図２６】大入賞口が閉鎖状態から開き始めたときの遊技球の流れを示す模式図である。
【図２７】ぱちんこ遊技機の電気的な接続を示すブロック図である。
【図２８】ぱちんこ遊技機の機能を示すブロック図である。
【図２９】主制御装置における処理を示すメインフローチャートである。
【図３０】特別遊技制御処理を示すフローチャートである。
【図３１】大入賞口制御処理を示すフローチャートである。
【図３２】開放態様決定テーブルを示す図である。
【図３３】主制御装置での特別遊技実行時における、大入賞口が長開放Ａの場合の作用図である。
【図３４】主制御装置での特別遊技実行時における、大入賞口が長開放Ｂの場合の作用図である。
【図３５】主制御装置での特別遊技実行時における、大入賞口が短開放の場合の作用図である。
【発明を実施するための形態】
【００１０】
以下、本発明の好ましい実施形態について図面を参照して説明する。本実施形態に係る遊技盤を備えた弾球遊技機の代表例として、ぱちんこ遊技機ＰＭの正面図および背面図を図１および図２に示しており、まず、この図を参照してぱちんこ遊技機ＰＭの全体構成について説明する。
【００１１】
［ぱちんこ遊技機の全体構成］
始めに、図１および図３を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１２】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。ガラス扉５の背後に位置する前枠２の上部には、遊技盤１００を着脱可能に収容する方形枠状の収容枠２ａ（図３を参照）が設けられる。この収容枠２ａに所定のゲージ設定で構成された遊技盤１００が着脱可能にセット保持され、常には閉鎖保持されるガラス扉５を通して遊技盤１００の正面の遊技領域ＰＡを臨ませるようになっている。
【００１３】
ガラス扉５の前面上部には、発光ダイオード（ＬＥＤ）やランプ等の電飾装置８や、遊技の展開状態に応じて効果音を発生させるスピーカ９等が設けられている。球皿ユニット６は、遊技球を貯留可能な上下の球皿（上球皿６ａおよび下球皿６ｂ）を有して構成され、球皿ユニット６の前面右側には、遊技球の発射操作を行う発射ハンドル１０が設けられている。
【００１４】
図３に示すように、前枠２の前面下部には、球皿ユニット６の背後に位置して遊技盤１０と上下に整合し得る遊技補助盤２０が形成される。遊技補助盤２０の各部には、上球皿６ａに貯留された遊技球を遊技盤１００へ向けて連続的に打ち出すことが可能な発射機構２１、上球皿６ａに繋がる賞球連絡通路２２、下球皿６ｂに繋がる溢れ球通路２３、遊技領域ＰＡに到達できずに戻ってくる遊技球（すなわちファール球）を回収する遊技球回収機構２４等が設けられている。
【００１５】
続いて、図２を参照しながら、ぱちんこ遊技機ＰＭの背面側の基本構造を説明する。前枠２の背面側には、図２に示すように、外枠１の内寸サイズよりも幾分小さめの矩形枠状に形成された裏セット盤３０が着脱可能に取り付けられている。裏セット盤３０は、遊技盤１００の背後に位置する上部領域に、前後連通して開口する大型の窓口開口３０ａを有する枠状に形成される。裏セット盤３０の各部には、多数個の遊技球を貯留する球貯留タンク３１、球貯留タンク３１の左側に繋がって延びるタンクレール３２、タンクレール３２により導かれた遊技球を払い出す賞球払出ユニット３３、賞球払出ユニット３３から払い出された遊技球を上球皿６ａに導くための賞球通路部材３４等が設けられている。
【００１６】
遊技盤１００の背面側には、ぱちんこ遊技機ＰＭの作動を統括的に制御する主制御基板等からなる主制御装置１０００や、遊技展開に応じた画像表示、効果照明、効果音等の演出全般の制御を行う演出制御基板等からなる副制御装置２０００が取り付けられている。これに対して、裏セット盤３０の背面側には、遊技球の発射及び払い出しに関する制御を行う払出制御基板等からなる払出制御装置３０００や、遊技施設側から受電して各種制御装置や電気・電子部品に電力を供給する電源供給ユニット３５００が取り付けられている。これらの制御装置とぱちんこ遊技機ＰＭ各部の電気・電子部品とがワイヤーハーネスで接続されて、ぱちんこ遊技機ＰＭが作動可能に構成されている。
【００１７】
ぱちんこ遊技機ＰＭは、外枠１が遊技施設の遊技島（設置枠台）に固定設置され、前枠２、ガラス扉５、球皿ユニット６等が閉鎖施錠された状態で遊技に供され、球皿ユニット６の上球皿６ａに遊技球を貯留させて発射ハンドル１０を回動操作することにより遊技が開始される。発射ハンドル１０が回動操作されると、上球皿６ａに貯留された遊技球が、球皿ユニット６の背面側に配設される球送り機構によって１球ずつ連続的に発射機構２１に送り出され、発射機構２１のハンマー２１ａにより遊技領域ＰＡに打ち出されてパチンコゲームが展開される。
【００１８】
［遊技盤の構成］
次に、本実施形態に係る遊技盤１００について図４〜図２６を参照して説明する。なお、本実施形態において、図４の各矢印で示す方向をそれぞれ、上下方向、前後方向、左右方向として説明する。
【００１９】
遊技盤１００は、図４に示すように、板状のベース部材１０１と、ベース部材１０１の前面側に取り付けられた左右の内レール部材１０６，１０７および外レール部材（図示せず）とを有し、ベース部材１０１における左右の内レール部材１０６，１０７と外レール部材とに囲まれた部分に遊技領域ＰＡが形成される。なお、図４において、遊技領域ＰＡの上方を囲む外レール部材の図示を省略している。この遊技領域ＰＡには、多数の遊技釘（図示せず）とともに、遊技領域ＰＡの中央部近傍に配置されたセンター飾り１２０と、遊技領域ＰＡの下部に配置された複数の一般入賞装置１１３，１１３，…と、センター飾り１２０の下方に配置された第１始動入賞装置１１４と、第１始動入賞装置１１４の下方に配置された第２始動入賞装置１３０と、第１始動入賞装置１１４および第２始動入賞装置１３０の右方における右側内レール部材１０７の近傍に配置された大入賞装置１４０と、センター飾り１２０と大入賞装置１４０との間に配置された補助遊技始動ゲート１１７と、遊技領域ＰＡの下端に配置された第１のアウト口１１８と、遊技領域ＰＡの右端近傍に配置された第２のアウト口１１９とが設けられている。
【００２０】
ベース部材１０１は、透明の樹脂材料を用いて板状に形成される。なお、ベース部材１０１の略中央部にはセンター飾り取付穴（図示せず）が形成され、このセンター飾り取付穴にセンター飾り１２０が取り付けられる。ベース部材１０１の左下部には一般入賞装置取付穴（図示せず）が形成され、この一般入賞装置取付穴に左側の一般入賞装置１１３，１１３，…が取り付けられる。ベース部材１０１の下部には始動入賞装置取付穴（図示せず）が形成され、この始動入賞装置取付穴に第１始動入賞装置１１４および第２始動入賞装置１３０が取り付けられる。ベース部材１０１の右下部には大入賞装置取付穴（図示せず）が形成され、この大入賞装置取付穴に大入賞装置１４０が取り付けられる。ベース部材１０１の下端部中央には第１のアウト口１１８が形成される。
【００２１】
センター飾り１２０は、樹脂材料を用いて、所定の装飾模様が形成された枠状に形成される。センター飾り１２０の上部には、上下方向に移動可能な可動式装飾部材１２１が配設される。センター飾り１２０の左下部には、外周部から内下方に延びるようにワープ通路１２２が形成されており、センター飾り１２０の下部に形成されたステージ部１２３に遊技球を導くようになっている。ステージ部１２３は、左右に延びるとともに前方に傾斜するように形成されており、ワープ通路１２２を通過してステージ部１２３に達した遊技球が左右に転動したのち、前方に落下するように構成されている。ステージ部１２３の中央には、ステージ部１２３の中央部に達した一部の遊技球を第１始動入賞装置１１４の第１始動入賞口１１４ａに導くガイド穴１２４が形成されている。
【００２２】
なお、ベース部材１０１の後面側に演出表示装置１２５が取り付けられ、センター飾り１２０の開口部分を通じて演出表示装置１２５の画面を前方から視認可能に構成されている。演出表示装置１２５は、中央に配置される第１液晶パネル１２６と、第１液晶パネル１２６の前方に配置される左右の第２液晶パネル１２７Ｌ，１２７Ｒとを有して構成される。左右の第２液晶パネル１２７Ｌ，１２７Ｒは、第１液晶パネル１２６よりも左右方向に小さく縦長に形成され、不図示の液晶駆動部により、第１液晶パネル１２６の前方において左右方向に移動可能に構成される。また、センター飾り１２０の右側部と右側内レール部材１０７との間に、遊技領域ＰＡの右上方に達した遊技球を大入賞装置１４０の上方に導く右流路１２９が形成される。
【００２３】
一般入賞装置１１３は、図４および図５に示すように、遊技球が落入可能な一般入賞口１１３ａを有し、一般入賞口１１３ａに落入した遊技球をベース部材１０１の後面側に排出させる。一般入賞装置１１３と繋がる通路には、一般入賞口１１３ａに落入した遊技球を検出する一般入賞センサ１１３ｓ（図２８を参照）が設けられている。
【００２４】
第１始動入賞装置１１４は、図４および図５に示すように、遊技球が落入可能な第１始動入賞口１１４ａを有し、第１始動入賞口１１４ａに落入した遊技球をベース部材１０１の後面側に排出させる。第１始動入賞装置１１４と繋がる通路には、第１始動入賞口１１４ａに落入した遊技球を検出する第１始動入賞センサ１１４ｓ（図２８を参照）が設けられている。
【００２５】
補助遊技始動ゲート１１７は、図４および図５に示すように、補助遊技始動ゲート１１７の開口部に落入した遊技球を補助遊技始動ゲート１１７の下方へ通過させる。補助遊技始動ゲート１１７には、補助遊技始動ゲート１１７を通過した遊技球を検出するゲートセンサ１１７ｓが設けられている。
【００２６】
第２始動入賞装置１３０は、いわゆるチューリップ型のチャッカーであり、図４および図５に示すように、第２始動入賞口１３１ａを有する始動入賞部材１３１と、始動入賞口開閉部材１３２とを有している。始動入賞部材１３１の中央上部に、遊技球が入球可能な第２始動入賞口１３１ａが開口して形成され、始動入賞部材１３１の左右上部に、第２始動入賞口１３１ａの左右上方を開閉可能な始動入賞口開閉部材１３２が設けられる。始動入賞部材１３１は、第２始動入賞口１３１ａに落入した遊技球をベース部材１０１の後面側に排出させる。始動入賞部材１３１と繋がる通路には、第２始動入賞口１３１ａに落入した遊技球を検出する第２始動入賞センサ１３１ｓ（図２８を参照）が設けられている。
【００２７】
始動入賞口開閉部材１３２は、左右対称な羽根状に形成され、不図示の揺動駆動部により左右方向に揺動開閉可能に構成される。始動入賞口開閉部材１３２は、所定の遊技状態のときに、羽根が外側に開くように揺動し、始動入賞部材１３１の上方近傍に達した遊技球を第２始動入賞口１３１ａに導いて入球させる。一方、通常時において、始動入賞口開閉部材１３２は、羽根が内側に閉じるように揺動し、始動入賞部材１３１の上方近傍に達した遊技球を第２始動入賞口１３１ａに入球させることなく下方に通過させる。
【００２８】
大入賞装置１４０は、図８、図１０、図１２に示すように、入賞ベース部材１４１と、前側入賞ユニット１５０と、後側入賞ユニット２００と、第１排出通路部材２８１と、第２排出通路部材２８６と、カバー部材２９１と、中継基板２９６とを有して構成される。入賞ベース部材１４１は、図９〜図１３に示すように、樹脂材料を用いて板状に形成され，ネジ等の固定手段を用いてベース部材１０１の前面側に固定される。入賞ベース部材１４１の中央部に取付開口部１４２が形成され、この取付開口部１４２に後側入賞ユニット２００が後方から挿通されて取り付けられる。入賞ベース部材１４１の右上部前面側には、補助遊技始動ゲート１１７が形成される。入賞ベース部材１４１の右上部後面側にゲートセンサ取付部１４３が形成され、このゲートセンサ取付部１４３にゲートセンサ１１７ｓが取り付け保持される。
【００２９】
入賞ベース部材１４１の左下部に、前側入賞ユニット１５０の前側大入賞部材１５１に形成された一般入賞装置１１３と繋がる開口通路部１４４が形成される。開口通路部１４４は、上方が開口したＵ字溝状に形成され、前側大入賞部材１５１の一般入賞口１１３ａに落入した遊技球を後方に流下させる。入賞ベース部材１４１の右下部に、後側排出通路部１４５が形成される。後側排出通路部１４５は、前側大入賞部材１５１の連絡通路部１６２と繋がってベース部材１０１の前面側から後面側へ延びるように形成される。後側排出通路部１４５は、第２のアウト口１１９から連絡通路部１６２を通過した遊技球を後方に流下させて、第１排出通路部材２８１のアウト側出口通路部２８４からベース部材１０１の後面側に排出させる。なお、後側排出通路部１４５およびアウト側出口通路部２８４は、後側入賞ユニット２００の下方に配置される。
【００３０】
入賞ベース部材１４１の左上部に、検知センサ取付部１４６が形成され、この検知センサ取付部１４６に磁気検知センサ１４８および電波検知センサ１４９（図１２〜図１３を参照）が取り付けられる。磁気検知センサ１４８は、磁気検出部が左右方向を向くように検知センサ取付部１４６に取り付けられ、大入賞装置１４０の近傍で生じた不正な磁気を検知可能に構成される。電波検知センサ１４９は、磁気検知センサ１４８と略平行な向きで検知センサ取付部１４６に取り付けられ、大入賞装置１４０の近傍で生じた不正な電波を検知可能に構成される。入賞ベース部材１４１の中央上部に、後側入賞ユニット２００の後上部を覆う上カバー部１４７が後方に延びて形成される。上カバー部１４７は、後側入賞ユニット２００の一部を露出させる切り欠き部を有している。
【００３１】
なお、入賞ベース部材１４１の下端部前面側に、前側入賞ユニット１５０の導光ランプ基板１７１が配置される（図１１を参照）。入賞ベース部材１４１の中央下部には、導光ランプ基板１７１のコネクタ１７４と電気的に接続されたランプケーブル（図示せず）が挿通される配線用穴部１７６が前後に貫通して形成される。入賞ベース部材１４１の下部前面側には、入賞ベース部材１４１の前面側に位置するランプケーブルを案内する板状の配線ガイド部１７７が形成される。
【００３２】
前側入賞ユニット１５０は、図９〜図１０に示すように、前側大入賞部材１５１と、前側装飾部材１６１と、導光ランプ基板１７１と、前側導光板１８１と、後側導光板１８６とを有して構成される。前側大入賞部材１５１は、図９〜図１０に示すように、透明の樹脂材料を用いて、入賞ベース部材１４１の前面側を覆う蓋状に形成される。前側大入賞部材１５１の上部左側に、右側（一端側）から左側（他端側）へ向けて下方に傾斜して遊技球が流下可能な左側傾斜通路部１５２が板状に形成される。左側傾斜通路部１５２を流下して左側傾斜通路部１５２の左方に達した遊技球は、第１のアウト口１１８に導かれる（図１８を参照）。前側大入賞部材１５１の上部右側に、左側から右側へ向けて下方に傾斜して遊技球が流下可能な右側傾斜通路部１５３が板状に形成される。右側傾斜通路部１５３と右側内レール部材１０７との間に、第２のアウト口１１９が形成される（図５を参照）。これにより、右側傾斜通路部１５３を流下して右側傾斜通路部１５３の右方に達した遊技球は、第２のアウト口１１９を通過する。前側大入賞部材１５１の上部における左側傾斜通路部１５２と右側傾斜通路部１５３との間に、左右方向に延びて後側大入賞部材２０１の大入賞口２０１ａと重なる切欠き部１５４が形成される。
【００３３】
前側大入賞部材１５１の上部前側に、左側傾斜通路部１５２および右側傾斜通路部１５３よりも上方に突出して左右方向に壁状に延びるガード壁部１５５が形成される。ガード壁部１５５は、左側傾斜通路部１５２、右側傾斜通路部１５３、および切欠き部１５４の前方を覆う。なお、ガード壁部１５５は透明であり、左側傾斜通路部１５２、右側傾斜通路部１５３、および大入賞口２０１ａ（切欠き部１５４）を前方から視認可能に構成されている。ガード壁部１５５の後面側における切欠き部１５４と接する部分に、内側ガイド部１５６が形成される。内側ガイド部１５６は、後下方を向く傾斜面状に形成され（図８を参照）、後側入賞ユニット２００の大入賞口開閉部材２３１とガード壁部１５５との間に挟まれた遊技球が大入賞口２０１ａに落入し易いように案内する。
【００３４】
前側大入賞部材１５１の上部後面側に、後方に突出して左右方向に延びる突起状の遊技球当接部１５７が形成される。遊技球当接部１５７は、内側ガイド部１５６の下方近傍に配置され（図８を参照）、大入賞口２０１ａを通過して後側大入賞部材２０１の内部空間ＩＳに達した遊技球が、遊技球当接部１５７に当接可能に構成される。これにより、大入賞口２０１ａを通過して後側大入賞部材２０１の内部空間ＩＳに達した遊技球が、直接的に速い速度でメイン側入球口２０３もしくはサブ側入球口２０６を通過するのを防止することができる。そのため、メイン側入球口２０３およびサブ側入球口２０６に設けられたメイン側検出センサ２０３ｓおよびサブ側検出センサ２０６ｓにおいて、通過する遊技球を確実に検出することができる。
【００３５】
前側大入賞部材１５１の下部後面側に、基板取付部１５８が形成される。基板取付部１５８は、導光ランプ基板１７１の左右両端を固定保持可能な爪状に形成され、この基板取付部１５８に導光ランプ基板１７１が上方を向いて取り付けられる。前側大入賞部材１５１の中間部後面側に、導光板取付部１５９が形成される。導光板取付部１５９は平面状に形成され、ネジ等の固定手段により、前側導光板１８１と後側導光板１８６とが、導光板取付部１５９に対しこの順に重ねて取り付け固定される（図８を参照）。これにより、導光ランプ基板１７１、前側導光板１８１、および後側導光板１８６は、入賞ベース部材１４１と前側大入賞部材１５１との間隙部に配置される。また、前側導光板１８１および後側導光板１８６は、入賞ベース部材１４１と前側大入賞部材１５１との間隙部において、導光ランプ基板１７１の上方に近接して配置される。  
【００３６】
図５および図７に示すように、前側大入賞部材１５１の右側部と右側内レール部材１０７との間に、第２のアウト口１１９と繋がる前側排出通路部１６１が形成される。前側排出通路部１６１は、ベース部材１０１の前面側において上下方向に延びて形成され、第２のアウト口１１９を通過した遊技球を下方に流下させる。また、図５、図６、図９に示すように、前側大入賞部材１５１の右側部下側に、前側排出通路部１６１と繋がる連絡通路部１６２が形成される。連絡通路部１６２は、前側排出通路部１６１の下流端と入賞ベース部材１４１における後側排出通路部１４５の上流端とに繋がって形成され、前側排出通路部１６１を流下した遊技球を後方の後側排出通路部１４５に向けて流下させる。なお、連絡通路部１６２の側壁部に、遊技球が当接して流下方向が変わる流路変更リブ１６３が形成される。また、前側排出通路部１６１および連絡通路部１６２の前方は、前側大入賞部材１５１の前壁部右側に覆われるようになっている。図５〜図７に示すように、前側排出通路部１６１と、連絡通路部１６２と、入賞ベース部材１４１の後側排出通路部１４５と、第１排出通路部材２８１のアウト側出口通路部２８４とにより、第２のアウト口１１９を通過した遊技球をベース部材１０１の後面側から排出するためのアウト球排出通路１６０が形成される。
【００３７】
なお、図５および図９に示すように、前側大入賞部材１５１の左下部には、一般入賞口１１３ａを有する一般入賞装置１１３の一つが一体的に形成されている。また、前側大入賞部材１５１の左下部における一般入賞装置１１３の右側近傍に、第１のアウト口１１８に向けて遊技球を流下させることが可能な流路部１６６が形成される。
【００３８】
導光ランプ基板１７１は、図８〜図１１に示すように、前側導光板１８１および後側導光板１８６の下端部の形状に合わせて左右方向に細長く延びる板状に形成される。導光ランプ基板１７１の上面（実装面）には、複数の前側導光ランプ１７２，１７２，…と、複数の後側導光ランプ１７３，１７３，…と、コネクタ１７４とが配設される。複数の前側導光ランプ１７２，１７２，…は、導光ランプ基板１７１の上面前側において、前側導光板１８１の下端部と対向するように左右方向に並んで配設される。前側導光ランプ１７２は、ＬＥＤランプ等から構成され、前側導光板１８１の下端部に向けて上方に光を発光させることができる。複数の後側導光ランプ１７３，１７３，…は、導光ランプ基板１７１の上面後側において、後側導光板１８６の下端部と対向するように左右方向に並んで配設される。後側導光ランプ１７３は、ＬＥＤランプ等から構成され、後側導光板１８６の下端部に向けて上方に光を発光させることができる。コネクタ１７４は、導光ランプ基板１７１の上面における左側端部に配設される。
【００３９】
前側導光板１８１は、図８〜図９に示すように、透明もしくは半透明の樹脂材料を用いて板状に形成され、導光ランプ基板１７１の前側導光ランプ１７２から発光した光を透過させる。なお、図１０において、前側導光板１８１の図示を省略している。前側導光板１８１の下端部に、前側導光ランプ１７２から発光した光を受光して内部に入射させる前側受光部１８２が形成される。前側導光板１８１の後面に、微細な凹凸からなる模様が描かれた前側装飾模様１８３が形成される。これにより、前側導光ランプ１７２から発光した光は、前側受光部１８２で受光されて前側導光板１８１の内部に入射し、前側導光板１８１の内部を透過する前側導光ランプ１７２からの光の一部が前側装飾模様１８３で前方に拡散反射する。そのため、前側導光ランプ１７２を発光させることで、前側導光板１８１の前側装飾模様１８３を前方に向けて発光させることができる。なお、前側導光板１８１の後面側には、透明の基材に所定の装飾が描かれた前側装飾シート１８４が重ねて取り付けられる（図８および図１０を参照）。
【００４０】
後側導光板１８６は、図８〜図９に示すように、透明もしくは半透明の樹脂材料を用いて、前側導光板１８１と同様の外周形状を有する板状に形成され、導光ランプ基板１７１の後側導光ランプ１７３から発光した光を透過させる。後側導光板１８６の下端部に、後側導光ランプ１７３から発光した光を受光して内部に入射させる後側受光部１８７が形成される。また、後側導光板１８６の後面に、微細な凹凸からなる（前側装飾模様１８３と異なる）模様が描かれた後側装飾模様１８８が形成される。これにより、後側導光ランプ１７３から発光した光は、後側受光部１８７で受光されて後側導光板１８６の内部に入射し、後側導光板１８６の内部を透過する後側導光ランプ１７３からの光の一部が後側装飾模様１８８で前方に拡散反射する。そのため、後側導光ランプ１７３を発光させることで、後側導光板１８６の後側装飾模様１８８を前方に向けて発光させることができる。なお、後側導光板１８６の後面側には、透明の基材に（前側装飾シート１８４と異なる）所定の装飾が描かれた後側装飾シート１８９が重ねて取り付けられる。
【００４１】
後側入賞ユニット２００は、図１５〜図１６に示すように、大入賞口２０１ａが形成される後側大入賞部材２０１と、球通路部材２２１と、大入賞口開閉部材２３１と、スライド駆動部２４０とを有して構成される。後側大入賞部材２０１は、図１５〜図１６に示すように、透明の樹脂材料を用いて、大入賞口２０１ａが上方を向くように左右方向に延びる箱状に形成される。後側大入賞部材２０１の前方開口部は、前側大入賞部材１５１に覆われて、後側大入賞部材２０１と前側大入賞部材１５１との間に、上方を向いて横長の長方形に開口した大入賞口２０１ａおよび、大入賞口２０１ａを通過した遊技球を受容可能な内部空間ＩＳが形成される。
【００４２】
後側大入賞部材２０１の下部に、左右方向に延びて内部空間ＩＳにおける大入賞口２０１ａと反対側の部分を覆う通路底部２０２が形成される。通路底部２０２は、右側（一端側）から左側（他端側）へ向けて下方に傾斜し、大入賞口２０１ａを通過して内部空間ＩＳに受容された遊技球が通路底部２０２の上面を（右側から左側へ向けて）流下可能に構成される。なお、大入賞口２０１ａは、右側から左側へ向けて下方に傾斜するように開口形成される。また、通路底部２０２は、大入賞口２０１ａに対し、前側大入賞部材１５１の遊技球当接部１５７の分だけ、後方にオフセットして形成される（図８を参照）。
【００４３】
通路底部２０２の中間部に、通路底部２０２の右側の上流部２０２ａを流下する遊技球が入球可能なメイン側入球口２０３が形成される。内部空間ＩＳにおけるメイン側入球口２０３の後側壁部に、通路底部２０２の後側壁部よりも後方に凹んだメイン側凹設部２０４が形成される。メイン側凹設部２０４により、メイン側入球口２０３は通路底部２０２に対し後側にオフセットして形成され、メイン側入球口２０３の下側には、メイン側入球口２０３に入球した遊技球を検出可能なメイン側検出センサ２０３ｓが設けられる。これにより、メイン側入球口２０３の上方近傍の球通路が通路底部２０２の上流部２０２ａよりも後方に広く形成されるため、通路底部２０２の上流部２０２ａを流下してメイン側入球口２０３に入球する複数の遊技球が噛合って詰まるのを防止することができる。
【００４４】
また、通路底部２０２におけるメイン側入球口２０３の左側の縁部に、突出部２０５が形成される。突出部２０５は、メイン側入球口２０３の右側の縁部よりも上方に突出して形成され、通路底部２０２の上流部２０２ａを流下する遊技球がメイン側入球口２０３を飛び越えて通路底部２０２の左側の下流部２０２ｂに達するのを防止するようになっている。これにより、通路底部２０２の上流部２０２ａを流下する遊技球を、下流部２０２ｂの遊技球と衝突等させることなく、効率よくメイン側入球口２０３に入球させることができる。
【００４５】
通路底部２０２の左端部に、通路底部２０２の下流部２０２ｂを流下する遊技球が入球可能なサブ側入球口２０６が形成される。内部空間ＩＳにおけるサブ側入球口２０６の後側壁部に、通路底部２０２の後側壁部よりも後方に凹んだサブ側凹設部２０７が形成される。サブ側凹設部２０７により、サブ側入球口２０６は通路底部２０２に対し後側にオフセットして形成され、サブ側入球口２０６の下側には、サブ側入球口２０６に入球した遊技球を検出可能なサブ側検出センサ２０６ｓが設けられる。これにより、サブ側入球口２０６の上方近傍の球通路が通路底部２０２の下流部２０２ｂよりも後方に広く形成されるため、通路底部２０２の下流部２０２ｂを流下してサブ側入球口２０６に入球する複数の遊技球が噛合って詰まるのを防止することができる。
【００４６】
なお、後側大入賞部材２０１の内部空間ＩＳには、大入賞口２０１ａを通過して内部空間ＩＳに受容された遊技球をメイン側入球口２０３もしくはサブ側入球口２０６に振り分ける動的機構部や、大入賞口２０１ａを通過して内部空間ＩＳに受容された遊技球を一時的に停留させる球停留装置が設けられていない。これにより、メイン側入球口２０３に入球する遊技球の比率と、サブ側入球口２０６に入球する遊技球の比率とを、大入賞口開閉部材２３１の開閉タイミングによって変化させることが可能になる（詳細は後述する）。
【００４７】
また、通路底部２０２の下流部２０２ｂは、右側（一端側）から左側（他端側）へ向けて下方に傾斜するだけでなく、後側から前側へ向けて僅かに下方に傾斜するようになっている。これにより、通路底部２０２の下流部２０２ｂを流下する遊技球が、前方の部材（前側入賞ユニット１５０）に当接してバウンドし難くなるため、効率的にサブ側入球口２０６に入球することができる。また、前後方向の傾斜により、通路底部２０２における下流部２０２ｂの右端に形成される突出部２０５の側壁面を小さくすることができるため、通路底部２０２の上流部２０２ａを流下してメイン側入球口２０３に入球する複数の遊技球が噛合って詰まるのを防止することができる。
【００４８】
前述したように、センター飾り１２０の右側部と右側内レール部材１０７との間に、遊技領域ＰＡの右上方に達した遊技球を前側大入賞部材１５１および後側大入賞部材２０１の上方に導く右流路１２９が形成される。本実施形態では、遊技釘（図示せず）等のゲージ設定により、大入賞口開閉部材２３１が大入賞口２０１ａを開放する場合に、右流路１２９に導かれて前側大入賞部材１５１および後側大入賞部材２０１の上方に達した遊技球の半数以上が、大入賞口２０１ａを通過して内部空間ＩＳにおける通路底部２０２の上流部２０２ａへ流下するように設定される（図２０を参照）。
【００４９】
後側大入賞部材２０１の上縁部左側に、前後方向に延びるレール状の左スライドガイド部２０８Ｌが形成される。左スライドガイド部２０８Ｌは、大入賞口開閉部材２３１の左端部をスライド移動可能に支持する。後側大入賞部材２０１の上縁部右側に、前後方向に延びるレール状の右スライドガイド部２０８Ｒが形成される。右スライドガイド部２０８Ｒは、大入賞口開閉部材２３１の右端部をスライド移動可能に支持する。これにより、大入賞口開閉部材２３１は、左右のスライドガイド部２０８Ｌ，２０８Ｒにより、遊技領域ＰＡの前側へ前進して大入賞口２０１ａを閉鎖する閉鎖位置と、閉鎖位置から後退して大入賞口２０１ａを開放する開放位置とに、前後方向へスライド移動可能に支持される。
【００５０】
後側大入賞部材２０１の後部上面側に、スライド駆動部２４０のカム部材２４１を収容可能な容器状のカム収容部２０９が形成される。カム収容部２０９は、大入賞口開閉部材２３１の下方に位置するようにカム部材２４１を収容する。カム収容部２０９の底部左側に、カム部材２４１を回転支持可能なボス状の回転支持部２１０が形成される。カム収容部２０９の底部中央に、前後方向に延びる溝状のガイド溝部２１１が形成される。ガイド溝部２１１には、大入賞口開閉部材２３１のガイド片部２３３が前後方向へスライド移動可能に係合する。カム収容部２０９における回転支持部２１０の右側近傍に、前後方向に貫通した貫通穴部２１２が形成される。貫通穴部２１２には、スライド駆動部２４０のカム駆動部材２５１に形成された駆動ピン２５４が挿通される。
【００５１】
後側大入賞部材２０１の後部下面側に、スライド駆動部２４０の開閉ソレノイド２６１とカム駆動部材２５１の上側部分を収容可能な蓋状の上側ソレノイド収容部２１３が形成される。上側ソレノイド収容部２１３の前側内壁部に、開閉ソレノイド２６１のフレーム２６２が上側ソレノイド収容部２１３（および後述の下側ソレノイド収容部２２６）内でズレないようにするためのローレット部２１４が形成される。また、後側大入賞部材２０１の左右側部に、フランジ状の上側結合部２１５が形成される。
【００５２】
球通路部材２２１は、図１５〜図１６に示すように、透明の樹脂材料を用いて、後側大入賞部材２０１の下面側を覆う容器状に形成される。球通路部材２２１の中央前部に、遊技球が流下可能な通路状のメイン側排出通路部２２２が前後方向に延びて形成される。メイン側排出通路部２２２は、後側大入賞部材２０１のメイン側入球口２０３の下側に繋がって形成され、メイン側入球口２０３に入球した遊技球を後方に流下させて、第２排出通路部材２８６のメイン側出口通路部２８７（図１２〜図１３を参照）からベース部材１０１の後面側に排出させる。メイン側排出通路部２２２の上流端部に、メイン側検出センサ２０３ｓが左右方向を向いて取り付けられるメイン側センサ取付部２２３が形成される。メイン側センサ取付部２２３は、メイン側検出センサ２０３ｓの検出部がメイン側入球口２０３の下側に位置するようにメイン側検出センサ２０３ｓを固定保持する。
【００５３】
球通路部材２２１の左前部に、遊技球が流下可能な通路状のサブ側排出通路部２２４が前後方向に延びて形成される。サブ側排出通路部２２４は、後側大入賞部材２０１のサブ側入球口２０６の下側に繋がって形成され、サブ側入球口２０６に入球した遊技球を後方に流下させて、第２排出通路部材２８６のサブ側出口通路部２８８（図１２〜図１３を参照）からベース部材１０１の後面側に排出させる。サブ側排出通路部２２４の上流端部に、サブ側検出センサ２０６ｓが前後方向を向いて取り付けられるサブ側センサ取付部２２５が形成される。サブ側センサ取付部２２５は、サブ側検出センサ２０６ｓの検出部がサブ側入球口２０６の下側に位置するようにサブ側検出センサ２０６ｓを固定保持する。
【００５４】
球通路部材２２１の後部に、スライド駆動部２４０の開閉ソレノイド２６１とカム駆動部材２５１の下側部分を収容可能な下側ソレノイド収容部２２６が形成される。下側ソレノイド収容部２２６の底部右側に、カム駆動部材２５１を左右方向にスライド移動可能に支持するレール状のスライド支持部２２７が形成される。球通路部材２２１の左右側部に、フランジ状の下側結合部２２８が形成される。下側結合部２２８は、後側大入賞部材２０１の上側結合部２１５と位置整合して設けられ、ネジ等の結合部材（図示せず）により上側結合部２１５と下側結合部２２８とが結合される。これにより、上側結合部２１５および下側結合部２２８を介して、後側大入賞部材２０１と球通路部材２２１とが結合される。
【００５５】
大入賞口開閉部材２３１は、図１５〜図１６に示すように、樹脂材料を用いて、大入賞口２０１ａに合わせて左右方向に延びる板状に形成される。大入賞口開閉部材２３１は、前述したように、後側大入賞部材２０１の左右のスライドガイド部２０８Ｌ，２０８Ｒに取り付けられて、遊技領域ＰＡの前側へ前進して大入賞口２０１ａを閉鎖する閉鎖位置と、閉鎖位置から後退して大入賞口２０１ａを開放する開放位置とに、前後方向へスライド移動可能に構成される。また、大入賞口開閉部材２３１は、右側（一端側）から左側（他端側）へ向けて下方に傾斜して、閉鎖位置にスライド移動した大入賞口開閉部材２３１の上面を遊技球が流下可能に構成される。
【００５６】
大入賞口開閉部材２３１の下面側における中央後部に、下方に突出した軸状の連結軸部２３２が形成される。連結軸部２３２は、スライド駆動部２４０のカム部材２４１に形成された長穴部２４８と摺動自在に係合する。大入賞口開閉部材２３１の下面側における右後部に、下方に突出するブロック状のガイド片部２３３が形成される。ガイド片部２３３は、後側大入賞部材２０１のガイド溝部２１１と前後方向へスライド移動可能に係合する。大入賞口開閉部材２３１の下面側における左後部に、下方に突出する突起状のストッパー部２３４が形成される。ストッパー部２３４は、ガイド片部２３３と前後方向の長さと位置関係が同じになるように形成され、大入賞口開閉部材２３１が開放位置にスライド移動すると、ガイド片部２３３とともに後側大入賞部材２０１におけるカム収容部２０９の前側内壁部に当接し、大入賞口開閉部材２３１が閉鎖位置にスライド移動すると、ガイド片部２３３とともにカム収容部２０９の後側内壁部に当接する。
【００５７】
大入賞口開閉部材２３１の前縁部に、右側（一端側）から左側（他端側）へ向けて後方に傾斜する直線状に切り欠かれたサイドカット部２３５が形成される。サイドカット部２３５は、大入賞口開閉部材２３１が大入賞口２０１ａを閉鎖する状態で、大入賞口２０１ａに遊技球が通過できない程度の僅かな隙間を形成するようになっている（図２２を参照）。これにより、図２２の二点鎖線で示すように、大入賞口開閉部材２３１が開放位置から閉鎖位置にスライド移動する際、大入賞口２０１ａに落入する遊技球Ｂの後側に当接すると、サイドカット部２３５によって、前方に向けた押圧力だけでなく、左方（一端側）に向けた押圧力が遊技球Ｂに加わる。そのため、大入賞口２０１ａを閉鎖しつつある大入賞口開閉部材２３１が遊技球Ｂを挟んだとしても、遊技球Ｂを左方（遊技球が流下する方）へ動かして大入賞口２０１ａに落入させることが可能となり、前側大入賞部材１５１のガード壁部１５５と大入賞口開閉部材２３１との間に遊技球Ｂが挟まれた状態で停止することを防止することができる。
【００５８】
なお、図２４に示すように、閉鎖位置にスライド移動した大入賞口開閉部材２３１と後側大入賞部材２０１の突出部２０５との間に、遊技球Ｂの１個分程度の間隙部が設けられる。この間隙部の上下方向の長さ（内部空間ＩＳの前後方向の中間部における遊技球Ｂと突出部２０５とが接する部分からの上下方向の長さ）は、遊技球Ｂの直径に当該直径よりも小さい所定の距離を加えた長さに設定される。ここで、所定の距離は、１ｍｍ以下の距離（例えば、遊技球Ｂの直径が１１ｍｍで、所定の距離が１ｍｍ）に設定される。これにより、閉鎖位置にスライド移動した大入賞口開閉部材２３１と後側大入賞部材２０１の突出部２０５との間隙部をなるべく小さくして、大入賞口開閉部材２３１と突出部２０５との間に遊技球が挟まれるのを防止しつつ、通路底部２０２の上流部２０２ａを流下する遊技球を、下流部２０２ｂの遊技球と衝突等させることなく、効率よくメイン側入球口２０３に入球させることができる。
【００５９】
スライド駆動部２４０は、図１５〜図１６に示すように、カム部材２４１と、カム駆動部材２５１と、開閉ソレノイド２６１と、ソレノイド保持部材２７１と、戻りバネ２７６とを有し、前述の閉鎖位置と開放位置とに大入賞口開閉部材２３１を前後方向へ駆動可能に構成される。カム部材２４１は、樹脂材料を用いて板状に形成され、後側大入賞部材２０１の回転支持部２１０に支持されて回転可能な胴部２４２と、胴部２４２の側方に突出して形成されたアーム部２４７とを有している。胴部２４２の略中央部に、上下方向に貫通した回転穴部２４３が形成される。回転穴部２４３の下側に回転支持部２１０の先端部が挿入され、回転穴部２４３の上側から回転固定ネジ２４９が挿通されて回転支持部２１０にネジ固定された状態で、カム部材２４１（胴部２４２）が回転支持部２１０に回転可能に支持される。
【００６０】
胴部２４２におけるアーム部２４７と反対側の側部（右側部）に、ピン摺動部２４４が形成される。ピン摺動部２４４は、カム駆動部材２５１の駆動ピン２５４よりも若干大きい内幅を有する略Ｕ字形に形成される。ピン摺動部２４４の内側面に、駆動ピン２５４が摺動可能に当接する。ピン摺動部２４４の右側部分は、ピン摺動部２４４の左側部分よりも前後方向で若干短くなるように形成されており、当該右側部分の先端部（前端部）に、カム駆動部材２５１が右方の閉鎖駆動位置に移動したときに駆動ピン２５４に当接可能なピン当接部２４５が形成される。アーム部２４７は、胴部２４２の左側部に側方へ突出して形成され、胴部２４２の回転に応じて前後方向へ揺動可能に構成される。アーム部２４７の先端側に、大入賞口開閉部材２３１の連結軸部２３２と摺動自在に係合する長穴部２４８が形成される。カム部材２４１の長穴部２４８と大入賞口開閉部材２３１の連結軸部２３２とが係合した状態で、カム部材２４１と大入賞口開閉部材２３１とが連結され、カム部材２４１のアーム部２４７の揺動に応じて大入賞口開閉部材２３１が前後方向へ駆動される。
【００６１】
カム駆動部材２５１は、図１５〜図１６に示すように、樹脂材料を用いてブロック状に形成され、開閉ソレノイド２６１と連結される本体部２５２と、カム部材２４１を駆動可能な駆動ピン２５４とを有している。カム駆動部材２５１は、開閉ソレノイド２６１および戻りバネ２７６により、右方の閉鎖駆動位置と左方の開放駆動位置とに左右方向へスライド移動可能に構成される。本体部２５２は、開閉ソレノイド２６１とともに、後側大入賞部材２０１の上側ソレノイド収容部２１３および球通路部材２２１の下側ソレノイド収容部２２６に収容される。本体部２５２の左側部に、開閉ソレノイド２６１の可動鉄芯２６５の先端部（ジョイント部）と係合して連結されるソレノイド連結部２５３が形成される。また、本体部２５２の左側面に、開閉ソレノイド２６１のフレーム２６２と本体部２５２との間に配設された戻りバネ２７６の右端部が当接するようになっている。
【００６２】
駆動ピン２５４は、本体部２５２の上端部から上方に突出するピン形状に形成される。駆動ピン２５４は、後側大入賞部材２０１の貫通穴部２１２に挿通されて、後側大入賞部材２０１のカム収容部２０９に収容されたカム部材２４１のピン摺動部２４４に当接可能に構成される。カム駆動部材２５１が左方の開放駆動位置にスライド移動する際、駆動ピン２５４は、ピン摺動部２４４の内側面左側に摺接可能に当接し、図１７（ａ）に示すように、カム部材２４１の胴部２４２を（上方から見て）時計回りに回転させるとともにアーム部２４７を後方に揺動させる。一方、カム駆動部材２５１が右方の閉鎖駆動位置にスライド移動する際、駆動ピン２５４は、ピン摺動部２４４の内側面右側に摺接可能に当接し、図１７（ｂ）に示すように、カム部材２４１の胴部２４２を（上方から見て）反時計回りに回転させるとともにアーム部２４７を前方に揺動させる。これにより、カム駆動部材２５１のスライド移動に応じて、カム部材２４１の胴部２４２を回転させるとともにアーム部２４７を前後方向に揺動させることができる。
【００６３】
なお、カム駆動部材２５１が閉鎖駆動位置までスライド移動したとき、図１７（ｂ）に示すように、駆動ピン２５４は、カム部材２４１のピン摺動部２４４の内側面右側から離れて、カム部材２４１のピン当接部２４５の前方に隣接する。これにより、大入賞口２０１ａを閉鎖する大入賞口開閉部材２３１を直接後方に動かして大入賞口２０１ａを開放しようとしても、カム部材２４１のピン当接部２４５が駆動ピン２５４に当接して、カム部材２４１のアーム部２４７の揺動および大入賞口開閉部材２３１のスライド移動が規制される。そのため、大入賞口２０１ａの不正な開放を防止することができる。なお、前述したように、入賞ベース部材１４１の上カバー部１４７は、後側入賞ユニット２００の一部を露出させる切り欠き部を有している。組み立て調整時やメンテナンス時等において、上カバー部１４７の切欠き部を介して駆動ピン２５４等にアクセスし、手動で大入賞口開閉部材２３１をスライド移動させて大入賞口２０１ａを開放することができるようになっている。
【００６４】
戻りバネ２７６は、図１７に示すように、圧縮コイルバネを用いて構成され、開閉ソレノイド２６１のフレーム２６２とカム駆動部材２５１の本体部２５２との間に配設される。戻りバネ２７６の左端部が開閉ソレノイド２６１のフレーム２６２に当接するとともに、戻りバネ２７６の右端部がカム駆動部材２５１の本体部２５２に当接し、戻りバネ２７６は、カム駆動部材２５１が閉鎖駆動位置に位置するように付勢力を加える。
【００６５】
開閉ソレノイド２６１は、図１５〜図１６に示すように、枠状のフレーム２６２と、フレーム２６２に収容されて磁界を発生させるコイル２６３と、コイル２６３の内部に固定された固定鉄芯（図示せず）と、コイル２６３で発生する磁界を利用して駆動される可動鉄芯２６５とを有して構成される。可動鉄芯２６５は、左右方向に延びて先端部がカム駆動部材２５１と連結され、コイル２６３に通電されて磁界が発生すると、固定鉄芯に向けて左方へ引き寄せられるようになっている。開閉ソレノイド２６１が作動状態のとき、戻りバネ２７６の付勢力に抗して、可動鉄芯２６５とともにカム駆動部材２５１が左方の開放駆動位置にスライド移動する。一方、開閉ソレノイド２６１が非作動状態のとき、戻りバネ２７６の付勢力を受けて、可動鉄芯２６５とともにカム駆動部材２５１が右方の閉鎖駆動位置にスライド移動する。これにより、開閉ソレノイド２６１は、カム駆動部材２５１を開放駆動位置と閉鎖駆動位置とにスライド移動させることができる。
【００６６】
ソレノイド保持部材２７１は、図１５〜図１６に示すように、金属板材を折り曲げ等して形成され、底面保持部２７２と、背面保持部２７３と、側面保持部２７４とを有している。底面保持部２７２は、開閉ソレノイド２６１のフレーム２６２およびコイル２６３の下側を覆って保持する。背面保持部２７３は、フレーム２６２の後面側を覆って保持する。背面保持部２７３の右側には、開閉ソレノイド２６１およびカム駆動部材２５１の右方を覆うサイドカバー部２７５が形成される。側面保持部２７４は、フレーム２６２の左面側を覆って保持する。
【００６７】
図１４に示すように、磁気検知センサ１４８は、スライド駆動部２４０を含む後側入賞ユニット２００の左側方に配置されている。ソレノイド保持部材２７１の側面保持部２７４およびサイドカバー部２７５は、開閉ソレノイド２６１における可動鉄芯２６５（および固定鉄芯）の延伸方向に対向して配置されており、開閉ソレノイド２６１で発生した磁界が磁気検知センサ１４８に及ぶのを防ぐ磁気シールドとしての機能を有している。これにより、開閉ソレノイド２６１で発生した磁界による磁気検知センサ１４８の誤検知を防止することができる。
【００６８】
このようなスライド駆動部２４０において、開閉ソレノイド２６１が作動状態になると、図１７（ａ）に示すように、戻りバネ２７６の付勢力に抗して、カム駆動部材２５１が左方の開放駆動位置にスライド移動する。カム駆動部材２５１が開放駆動位置にスライド移動する際、カム駆動部材２５１の駆動ピン２５４は、カム部材２４１の胴部２４２を（上方から見て）時計回りに回転させるとともにアーム部２４７を後方に揺動させる。カム部材２４１のアーム部２４７が後方に揺動すると、アーム部２４７の揺動に応じて大入賞口開閉部材２３１が後方へ駆動される。これにより、開閉ソレノイド２６１を作動状態にすることで、大入賞口開閉部材２３１を後方へ駆動して開放位置にスライド移動させることができる。
【００６９】
一方、開閉ソレノイド２６１が非作動状態になると、図１７（ｂ）に示すように、戻りバネ２７６の付勢力を受けて、カム駆動部材２５１が右方の閉鎖駆動位置にスライド移動する。カム駆動部材２５１が閉鎖駆動位置にスライド移動する際、カム駆動部材２５１の駆動ピン２５４は、カム部材２４１の胴部２４２を（上方から見て）反時計回りに回転させるとともにアーム部２４７を前方に揺動させる。カム部材２４１のアーム部２４７が前方に揺動すると、アーム部２４７の揺動に応じて大入賞口開閉部材２３１が前方へ駆動される。これにより、開閉ソレノイド２６１を非作動状態にすることで、大入賞口開閉部材２３１を前方へ駆動して閉鎖位置にスライド移動させることができる。
【００７０】
なお、スライド駆動部２４０に設けられたリンク機構（カム部材２４１およびカム駆動部材２５１）は、大入賞口開閉部材２３１の右側（一端側）に寄って配置される構造となっている。これにより、スライド駆動部２４０を小型にすることができる。
【００７１】
第１排出通路部材２８１は、図１２および図１４（ａ）に示すように、透明の樹脂材料を用いて通路部を有する板状に形成され、入賞ベース部材１４１の下部後側に取り付けられる。第１排出通路部材２８１の左側に、遊技球が流下可能なダクト状の一般入賞排出通路部２８２が前後方向に延びて形成される。一般入賞排出通路部２８２は、入賞ベース部材１４１の開口通路部１４４と繋がって形成され、前側大入賞部材１５１の一般入賞口１１３ａに落入して開口通路部１４４を通過した遊技球を後方に流下させて、第２排出通路部材２８６の一般入賞出口通路部２８９からベース部材１０１の後面側に排出させる。第１排出通路部材２８１の左側における一般入賞排出通路部２８２の下方に、一般入賞センサ取付部２８３が形成される。一般入賞センサ取付部２８３には、一般入賞センサ１１３ｓの検出部が第２排出通路部材２８６の一般入賞出口通路部２８９の下側に位置するように、一般入賞センサ１１３ｓが取り付けられる。
【００７２】
第１排出通路部材２８１の右側に、遊技球が流下可能なダクト状のアウト側出口通路部２８４が下方に湾曲して形成される。アウト側出口通路部２８４は、入賞ベース部材１４１の後側排出通路部１４５と繋がって形成され、第２のアウト口１１９から後側排出通路部１４５を通過した遊技球を流下させてベース部材１０１の後面側に排出させる。
【００７３】
第２排出通路部材２８６は、図１２および図１３に示すように、透明の樹脂材料を用いて通路カバー状に形成され、第１排出通路部材２８１の後側に取り付けられる。第２排出通路部材２８６の右側に、遊技球が流下可能な樋状のメイン側出口通路部２８７が上下方向に延びて形成される。メイン側出口通路部２８７は、球通路部材２２１のメイン側排出通路部２２２と繋がって形成され、後側大入賞部材２０１のメイン側入球口２０３からメイン側排出通路部２２２を通過した遊技球を流下させてベース部材１０１の後面側に排出させる。第２排出通路部材２８６の中央に、遊技球が流下可能な樋状のサブ側出口通路部２８８が上下方向に延びて形成される。サブ側出口通路部２８８は、球通路部材２２１のサブ側排出通路部２２４と繋がって形成され、後側大入賞部材２０１のサブ側入球口２０６からサブ側排出通路部２２４を通過した遊技球を流下させてベース部材１０１の後面側に排出させる。
【００７４】
第２排出通路部材２８６の左側に、遊技球が流下可能なダクト状の一般入賞出口通路部２８９が下方に湾曲して形成される。一般入賞出口通路部２８９は、第１排出通路部材２８１の一般入賞排出通路部２８２と繋がって形成され、前側大入賞部材１５１の一般入賞口１１３ａから一般入賞排出通路部２８２を通過した遊技球を流下させてベース部材１０１の後面側に排出させる。また、第２排出通路部材２８６の上部後面側に、中継基板２９６が取り付けられる。
【００７５】
カバー部材２９１は、透明の樹脂材料を用いて蓋状に形成され、後側入賞ユニット２００の後側に取り付けられて、後側入賞ユニット２００の後面側および上面後側を覆うようになっている。カバー部材２９１の後側に、中継基板２９６から延びるワイヤーハーネス（図示せず）等が係止されるハーネスガイド部２９２が形成される。
【００７６】
以上のように構成される大入賞装置１４０において、大入賞口開閉部材２３１が大入賞口２０１ａを閉鎖する場合、右流路１２９に導かれて前側大入賞部材１５１および後側大入賞部材２０１の上方に達した遊技球Ｂの大半の部分は、図１８〜図１９に示すように、閉鎖位置にスライド移動した大入賞口開閉部材２３１の上面を（左下方に）流下する。大入賞口開閉部材２３１の上面を流下した遊技球は、大入賞口開閉部材２３１の左下方に並んで配置された前側大入賞部材１５１の左側傾斜通路部１５２の上面を（左下方に）流下する。左側傾斜通路部１５２の上面を流下して左側傾斜通路部１５２の左方に達した遊技球Ｂは、下方に流下して第１のアウト口１１８を通過する。なお、第２始動入賞装置１３０の始動入賞口開閉部材１３２が第２始動入賞口１３１ａを開放している場合、左側傾斜通路部１５２の上面を流下して左側傾斜通路部１５２の左方に達した遊技球Ｂの一部は、始動入賞口開閉部材１３２に導かれて第２始動入賞口１３１ａに入球する。
【００７７】
また、右流路１２９に導かれて前側大入賞部材１５１および後側大入賞部材２０１の上方に達した遊技球Ｂの残りの部分は、図１８に示すように、前側大入賞部材１５１の右側傾斜通路部１５３の右方を流下して、第２のアウト口１１９を通過する。なお、第２のアウト口１１９を通過した遊技球は、アウト球排出通路１６０の前側排出通路部１６１、連絡通路部１６２、後側排出通路部１４５、およびアウト側出口通路部２８４を順に流下し、ベース部材１０１の後面側に排出される。
【００７８】
このように、大入賞口開閉部材２３１が大入賞口２０１ａを閉鎖する場合、図２５（ａ）に模式的に示すように、右流路１２９に導かれて前側大入賞部材１５１および後側大入賞部材２０１の上方に達した遊技球Ｂのうち、第１のアウト口１１８を通過する遊技球Ｂ１の比率は、第２のアウト口１１９を通過する遊技球Ｂ２の比率よりも高くなる。例えば、右流路１２９に導かれて前側大入賞部材１５１および後側大入賞部材２０１の上方に達した遊技球Ｂのうち、第１のアウト口１１８を通過する遊技球Ｂ１の比率を０．９５とし、第２のアウト口１１９を通過する遊技球Ｂ２を０．０５とすることができる。これらの比率は、遊技釘（図示せず）等のゲージ設定により変更することが可能である。
【００７９】
なおこの場合、メイン側入球口２０３に入球する遊技球の比率と、サブ側入球口２０６に入球する遊技球の比率は、ほぼ零になる、但し、大入賞口開閉部材２３１が大入賞口２０１ａの閉鎖を開始してから所定の閉鎖開始時間（例えば、３００ｍｓ）が経過するまでの間、メイン側入球口２０３に入球する遊技球の比率がサブ側入球口２０６に入球する遊技球の比率よりも高くなる。大入賞口開閉部材２３１が大入賞口２０１ａを閉鎖するのとほぼ同時に、大入賞口２０１ａを通過して後側大入賞部材２０１の内部空間ＩＳに受容された遊技球の多くは、内部空間ＩＳにおける通路底部２０２の上流部２０２ａへ流下するからである。また、閉鎖開始時間が経過して大入賞口開閉部材２３１が大入賞口２０１ａを閉鎖する間、サブ側入球口２０６に入球する遊技球の比率がメイン側入球口２０３に入球する遊技球の比率よりも高くなる。例えば、図２２の二点鎖線で示すように、大入賞口２０１ａを閉鎖しつつある大入賞口開閉部材２３１が遊技球Ｂを挟むと、大入賞口開閉部材２３１のサイドカット部２３５によって、遊技球Ｂが左方（遊技球が流下する方）へ動いて大入賞口２０１ａの左側に落入するからである。
【００８０】
一方、大入賞口開閉部材２３１が大入賞口２０１ａを開放する場合、右流路１２９に導かれて前側大入賞部材１５１および後側大入賞部材２０１の上方に達した遊技球Ｂの大半の部分は、図２０〜図２１に示すように、大入賞口２０１ａを通過して後側大入賞部材２０１の内部空間ＩＳに受容される。前述したように、右流路１２９に導かれて前側大入賞部材１５１および後側大入賞部材２０１の上方に達した遊技球Ｂの半数以上は、大入賞口２０１ａを通過して後側大入賞部材２０１の内部空間ＩＳにおける通路底部２０２の上流部２０２ａへ流下する。通路底部２０２の上流部２０２ａに達した遊技球は、通路底部２０２の上流部２０２ａを（左下方に）流下してメイン側入球口２０３に落入する。メイン側入球口２０３に落入した遊技球は、球通路部材２２１のメイン側排出通路部２２２、および第２排出通路部材２８６のメイン側出口通路部２８７を順に流下し、ベース部材１０１の後面側に排出される。またこのとき、メイン側入球口２０３に落入した遊技球は、メイン側検出センサ２０３ｓで検出される。
【００８１】
また、右流路１２９に導かれて前側大入賞部材１５１および後側大入賞部材２０１の上方に達した遊技球Ｂの他の一部は、大入賞口２０１ａを通過して後側大入賞部材２０１の内部空間ＩＳにおける通路底部２０２の下流部２０２ｂへ流下する。通路底部２０２の下流部２０２ｂに達した遊技球は、通路底部２０２の下流部２０２ｂを（左下方に）流下してサブ側入球口２０６に落入する。サブ側入球口２０６に落入した遊技球は、球通路部材２２１のサブ側排出通路部２２４、および第２排出通路部材２８６のサブ側出口通路部２８８を順に流下し、ベース部材１０１の後面側に排出される。またこのとき、サブ側入球口２０６に落入した遊技球は、サブ側検出センサ２０６ｓで検出される。
【００８２】
また、右流路１２９に導かれて前側大入賞部材１５１および後側大入賞部材２０１の上方に達した遊技球Ｂの他の一部は、前側大入賞部材１５１の左側傾斜通路部１５２の左方を流下して、第１のアウト口１１８を通過する。また、右流路１２９に導かれて前側大入賞部材１５１および後側大入賞部材２０１の上方に達した遊技球Ｂの他の一部は、前側大入賞部材１５１の右側傾斜通路部１５３の右方を流下して、第２のアウト口１１９を通過する。
【００８３】
なお、前述したように、大入賞口開閉部材２３１が大入賞口２０１ａを閉鎖する場合、右流路１２９に導かれて前側大入賞部材１５１および後側大入賞部材２０１の上方に達した遊技球Ｂの大半の部分は、閉鎖位置にスライド移動した大入賞口開閉部材２３１の上面を流下する。これにより、図２１（ａ）の二点鎖線で示すように、閉鎖位置にスライド移動した大入賞口開閉部材２３１の上面を遊技球が流下する状態で、大入賞口開閉部材２３１が大入賞口２０１ａを開放した場合、大入賞口開閉部材２３１の上面の左側を流下していた遊技球Ｂが、大入賞口２０１ａを通過して通路底部２０２の下流部２０２ｂに達し、通路底部２０２の下流部２０２ｂを流下してサブ側入球口２０６に落入し得る。
【００８４】
そのため、大入賞口２０１ａを閉鎖する大入賞口開閉部材２３１が大入賞口２０１ａの開放を開始してから所定の開放開始時間（例えば、１０００ｍｓ）が経過するまでの間、言い換えると、大入賞口２０１ａを閉鎖する大入賞口開閉部材２３１が大入賞口２０１ａの開放を開始してから１球目に大入賞口２０１ａを通過する遊技球については、図２６に模式的に示すように、サブ側入球口２０６に入球する遊技球Ｂ４の比率がメイン側入球口２０３に入球する遊技球Ｂ３の比率よりも高くなる。なおこのとき、メイン側入球口２０３に入球する遊技球Ｂ３の比率とサブ側入球口２０６に入球する遊技球Ｂ４の比率とが、第１のアウト口１１８を通過する遊技球Ｂ１の比率と第２のアウト口１１９を通過する遊技球Ｂ２の比率よりも高くなる。またこのとき、第２のアウト口１１９を通過する遊技球Ｂ２の比率が第１のアウト口１１８を通過する遊技球Ｂ１の比率よりも高くなる。
【００８５】
例えば、右流路１２９に導かれて前側大入賞部材１５１および後側大入賞部材２０１の上方に達した遊技球Ｂのうち、第１のアウト口１１８を通過する遊技球Ｂ１の比率を０．０１とし、第２のアウト口１１９を通過する遊技球Ｂ２を０．０９とし、メイン側入球口２０３に入球する遊技球Ｂ３の比率を０．１とし、サブ側入球口２０６に入球する遊技球Ｂ４の比率を０．８とすることができる。これらの比率は、遊技釘（図示せず）等のゲージ設定により変更することが可能である。
【００８６】
また、開放開始時間が経過して大入賞口開閉部材２３１が大入賞口２０１ａを開放する間（例えば、後述する長開放の場合）、言い換えると、大入賞口２０１ａを閉鎖する大入賞口開閉部材２３１が大入賞口２０１ａの開放を開始してから２球目以降に大入賞口２０１ａを通過する遊技球については、図２５（ｂ）に模式的に示すように、メイン側入球口２０３に入球する遊技球Ｂ３の比率がサブ側入球口２０６に入球する遊技球Ｂ４の比率よりも高くなる。なおこのとき、メイン側入球口２０３に入球する遊技球Ｂ３の比率とサブ側入球口２０６に入球する遊技球Ｂ４の比率とが、第１のアウト口１１８を通過する遊技球Ｂ１の比率と第２のアウト口１１９を通過する遊技球Ｂ２の比率よりも高くなる。またこのとき、第２のアウト口１１９を通過する遊技球Ｂ２の比率が第１のアウト口１１８を通過する遊技球Ｂ１の比率よりも高くなる。
【００８７】
例えば、右流路１２９に導かれて前側大入賞部材１５１および後側大入賞部材２０１の上方に達した遊技球Ｂのうち、第１のアウト口１１８を通過する遊技球Ｂ１の比率を０．０１とし、第２のアウト口１１９を通過する遊技球Ｂ２を０．０９とし、メイン側入球口２０３に入球する遊技球Ｂ３の比率を０．８とし、サブ側入球口２０６に入球する遊技球Ｂ４の比率を０．１とすることができる。これらの比率は、遊技釘（図示せず）等のゲージ設定により変更することが可能である。
【００８８】
ところで、大入賞口開閉部材２３１により大入賞口２０１ａを開放して大入賞装置１４０を入賞容易にした特別遊技は、複数のラウンドに亘り実行される。複数のラウンドの間においては、図２３〜図２４に示すように、大入賞口開閉部材２３１が大入賞口２０１ａを閉鎖する。複数のラウンドの間において大入賞口開閉部材２３１により大入賞口２０１ａを閉鎖するラウンド間閉鎖時間は、閉鎖位置にスライド移動した大入賞口開閉部材２３１の上面の右端（一端側）から左端（他端側）までを遊技球が流下する設計的な時間よりも短い時間（例えば、６００ｍｓ）に設定される。
【００８９】
これにより、大入賞口開閉部材２３１が大入賞口２０１ａを閉鎖する間、発射機構２１により連続的に打ち出されて前側大入賞部材１５１および後側大入賞部材２０１の上方に達した遊技球Ｂは、図１９に示すように、閉鎖位置にスライド移動した大入賞口開閉部材２３１の上面を流下し得る。ところが、ラウンド間閉鎖時間が大入賞口開閉部材２３１の上面を遊技球が流下する設計的な時間よりも短い時間に設定されるため、図２１（ａ）の二点鎖線で示すように、遊技球が大入賞口開閉部材２３１の上面を通り過ぎる前に大入賞口２０１ａが開放され、当該遊技球は大入賞口２０１ａを通過して後側大入賞部材２０１の内部空間ＩＳに受容される。このようにすれば、複数のラウンドの間に閉鎖されている大入賞口２０１ａに入球できずにアウト球として排出される遊技球（いわゆる、無駄玉）を減少させることができる。
【００９０】
なお、大入賞口開閉部材２３１が大入賞口２０１ａを閉鎖するのとほぼ同時に、大入賞口２０１ａを通過して後側大入賞部材２０１の内部空間ＩＳに受容された遊技球Ｂは、図２３〜図２４に示すように、大入賞口開閉部材２３１よりも左右方向の長さが短い通路底部２０２の上流部２０２ａもしくは下流部２０２ｂを流下して、メイン側入球口２０３もしくはサブ側入球口２０６に短時間で落入する。そのため、ラウンド間閉鎖時間が短い時間に設定されても、大入賞口開閉部材２３１が大入賞口２０１ａを閉鎖する間に、後側大入賞部材２０１の内部空間ＩＳに受容された遊技球をメイン側入球口２０３もしくはサブ側入球口２０６に落入させて、ベース部材１０１の後面側に排出することができる。これにより、大入賞口２０１ａの閉鎖時間を短くして（メイン側入球口２０３もしくはサブ側入球口２０６に）規定数の遊技球を短時間で入球させることができる。また、メイン側入球口２０３にメイン側検出センサ２０３ｓが設けられるとともに、サブ側入球口２０６にサブ側検出センサ２０６ｓが設けられることで、メイン側入球口２０３もしくはサブ側入球口２０６への入球をより速く検出することができる。
【００９１】
［ぱちんこ遊技機の電気的な構成］
次に、図２７のブロック図を参照しながら、本実施形態に係るぱちんこ遊技機ＰＭの電気的な概略構成を説明する。本実施形態に係るぱちんこ遊技機ＰＭは、前述したように、遊技の進行を制御する主制御装置１０００と、主制御装置１０００からの情報（信号、コマンド等）に基づいて遊技球の払出を制御する払出制御装置３０００と、主制御装置１０００からの情報（信号、コマンド等）に基づいて、装飾図柄の変動・停止等の演出表示装置１２５上での各種演出、スピーカ９からの音響、電飾装置８の点灯、エラー報知等の実行を制御する副制御基板２０００と、これらの制御基板を含む遊技機全体に電源を供給する電源供給ユニット３５００と、を主体として構成されている。副制御基板２０００は、装飾図柄の変動・停止等の演出表示装置１２５上での各種演出、スピーカ９からの音響、電飾装置８の点灯、エラー報知を制御するサブメイン制御部２３２０と、演出表示装置１２５上での装飾図柄の変動表示・停止表示及び保留表示や予告表示等の表示処理を実行するサブサブ制御部２３１０の２つの制御部とを備えている。主制御装置１０００、払出制御装置３０００、サブメイン制御部２３２０及びサブサブ制御部２３１０には、様々な演算処理を行うＣＰＵ、ＣＰＵの演算処理を規定したプログラムを予め記憶するＲＯＭ、ＣＰＵが取り扱うデータ（遊技中に発生する各種データやＲＯＭから読み出されたコンピュータプログラム等）を一時的に記憶するＲＡＭが搭載されている。以下、各制御装置の概略構成及びこれらの電気的な接続態様について概説する。
【００９２】
主制御装置１０００は、入球センサＳ（前述した第１始動入賞センサ１１４ｓ、第２始動入賞センサ１３１ｓ、ゲートセンサ１１７ｓ、メイン側検出センサ２０３ｓ、サブ側検出センサ２０６ｓ、一般入賞センサ１１３ｓ等）、駆動ソレノイド（開閉ソレノイド２６１等）、情報表示ＬＥＤ（図示せず）等、遊技の進行に必須となる入出力装置と電気的に接続され、各入力装置からの入力信号に基づいて遊技の進行を制御している。また、主制御装置１０００は、払出制御装置３０００と、副制御基板２０００（サブメイン制御部２３２０およびサブサブ制御部２３１０）とも電気的に接続されており、遊技進行に基づいて、賞球払出等に関する情報（コマンド）を払出制御装置３０００に、演出・遊技の進行状態等に関する情報（コマンド）を副制御基板２０００にそれぞれ送信可能に構成されている。なお、主制御装置１０００は、外部接続端子（図示せず）を介してホールコンピュータＨ等と接続可能となっており、外部接続端子を介してホールコンピュータＨと配線接続することで、主制御装置１０００から外部の装置に対して遊技関連情報を出力できるよう構成されている。
【００９３】
本実施形態では、図２７の矢印表記の通り、主制御装置１０００と払出制御装置３０００とは、双方向通信が可能となるよう構成されている一方、主制御装置１０００とサブメイン制御部２３２０とは、主制御装置１０００からサブメイン制御部２３２０への一方向通信が可能となるよう構成されている（通信方法は、シリアル通信、パラレル通信のいずれを用いてもよい）。なお、制御装置間の通信については一方向通信でも双方向通信でもよい。また、主制御装置１０００とホールコンピュータＨとは、主制御装置１０００からホールコンピュータへの一方通信が可能となるよう構成されており、遊技関連情報、排出球異常情報、不正検知コマンド等が送信される。
【００９４】
払出制御装置３０００は、遊技球の払出を実行する賞球払出ユニット３３と、遊技者によって操作可能な装置であって遊技球の貸出要求を受付け払出制御装置３０００に伝達する遊技球貸出装置Ｊとに接続されている。また、図示省略するが、本実施形態では、払出制御基板内に、発射機構２１を含む発射装置の制御回路部が併設されており、払出制御基板と発射装置（発射ハンドル・発射モータ・球送り装置等）とも接続されている。尚、本実施形態では、遊技球貸出装置Ｊを別体として遊技機に隣接する形態を採用しているが、遊技機と一体としてもよく、その場合には、払出制御装置３０００により貸出制御及び電子マネー等貸出用の記録媒体の管理制御等を統括して行ってもよい。
【００９５】
副制御基板２０００は、装飾図柄等を表示する演出表示装置１２５と、スピーカ９と、電飾装置８と、その他演出用の駆動装置（図示せず）と電気的に接続されている。本実施形態では、前述の通り、副制御基板２０００内にサブメイン制御部２３２０とサブサブ制御部２３１０とを有しており、サブメイン制御部２３２０によりスピーカ９から出力させる音声の制御、電飾装置８の点灯制御並びに、演出表示装置１２５上で表示する表示内容の決定制御が行われ、サブサブ制御部２３１０により、演出表示装置１２５上の表示制御（実体的な表示制御）が行われるように構成されている。なお、本実施形態では、サブメイン制御部２３２０とサブサブ制御部２３１０とを、副制御装置２０００にて一体化されるよう構成されているが、これに限定されるわけではない（別基板として構成してもよいが、一体化するよう構成することでスペースメリットや配線等にノイズが混入してしまう事態を低減できるといったメリットが生ずる）。また、両制御部での作業分担についても、例えばサブサブ制御部２３１０により音声制御を実行させる（ＶＤＰに音声制御回路が一体化されたものを採用する場合に好適）等、適宜変更できる。また、賞球として物理的な賞球を付与せずに電子的な価値を付与してもよい。
【００９６】
［ぱちんこ遊技機の各種機能］
次に、図２８のブロック図を参照しながら、本実施形態に係るぱちんこ遊技機ＰＭの各種機能について説明する。主制御装置１０００は、遊技に係る遊技周辺機器Ｋ（第１主遊技周辺機器Ａｋ、第２主遊技周辺機器Ｂｋ、第１・第２主遊技共用周辺機器Ｃｋ、補助遊技周辺機器Ｄｋ）と、演出に係るサブメイン制御部２３２０と、主制御装置１０００からの払出指示に基づき所定数の賞球の払出制御を行う払出制御装置３０００と、情報伝達可能に接続されている。また、サブメイン制御部２３２０は、画像演出を実行するサブサブ制御部２３１０と、電飾装置８と、スピーカ９とも電気的に接続されている。払出制御装置３０００は、ステッピングモータやスプロケット等を備えた賞球払出ユニット３３と電気的に接続されている。なお、主制御装置１０００、サブメイン制御部２３２０、サブサブ制御部２３１０、払出制御装置３０００等は、ハードウェア的にはデータやプログラムを格納するＲＯＭやＲＡＭ、演算処理に用いるＣＰＵ等の素子が実装された制御基板等から構成される。尚、以下で主制御装置１０００に含まれるとする各手段を周辺機器（例えば、遊技周辺機器Ｋ）に搭載される形で構成してもよい。また、周辺機器（例えば、遊技周辺機器Ｋ）に含まれるとする各手段を主制御装置１０００に搭載される形で構成してもよい。以下、上記各手段（装置）の詳細を説明する。
【００９７】
主制御装置１０００は、主遊技（第１主遊技、第２主遊技、特別遊技）・補助遊技・一般遊技に関する主たる制御を司る遊技制御手段１１００と、遊技周辺機器Ｋ側に各種遊技情報｛例えば、停止図柄情報、停止図柄の属性情報（例えば、１６Ｒ大当り、８Ｒ大当り、４Ｒ大当り、ハズレ）、変動態様に関する情報（例えば、変動時間）、特別遊技の開始信号・状態情報・終了信号、保留情報等｝を送信するための情報送信制御手段１３００（及び未送信コマンドを蓄積するコマンド送信用バッファ１３０１）と、各種入賞口への遊技球の入賞に基づき所定の賞球の払出を行うように払出制御装置３０００を制御する賞球払出決定手段１４００と、を有している。
【００９８】
ここで、遊技制御手段１１００は、各入球口（始動入賞口等）への遊技球の流入を判定するための入球判定手段１１１０と、各乱数の取得可否を判定し、当該判定結果に基づき当該各乱数を取得するための乱数取得判定実行手段１１２０と、変動表示中における各始動口への入球を保留球として上限個数以内で一時記憶するための保留制御手段１１３０と、第１主遊技側乱数・第２主遊技側乱数・補助遊技側乱数に基づき、特別遊技の当否及び第２始動入賞口１３１ａの始動入賞口開閉部材１３２の開放可否を抽選する当否抽選手段１１３５と、各乱数に基づき、各図柄の停止図柄及び変動態様（変動時間等）を決定するための図柄内容決定手段１１４０と、各図柄の変動及び停止表示する制御を行うための表示制御手段１１５０と、第２始動入賞口１３１ａの始動入賞口開閉部材１３２の開閉決定に直接関連する各種処理を行うための電動役物開閉制御手段１１６０と、通常遊技よりも遊技者に有利な特別遊技に関する制御を司る特別遊技制御手段１１７０と、第１主遊技及び第２主遊技並びに補助遊技に関し、現在の遊技状態をどの遊技状態に移行させるかの決定と、当該決定に基づき遊技状態を移行させる処理を行うための特定遊技制御手段１１８０と、現在及び過去の遊技状態［例えば、主遊技に関する状態｛通常遊技状態、特定遊技状態（確率変動遊技状態、時間短縮遊技状態）、特別遊技状態｝、補助遊技に関する状態（易開放状態、非易開放状態）、主遊技図柄や補助遊技図柄に係る停止図柄及び変動態様情報、各種フラグのオンオフ状況、特別遊技中の遊技状態（例えばラウンド数や入賞個数情報）］等を一時記憶するための遊技状態一時記憶手段１１９０と、を有している。
【００９９】
なお、特別遊技制御手段１１７０は、特別遊技に移行するための条件を充足しているか否か、具体的には、大当りに当選している｛特別遊技（大当り）実行許可フラグが発生している｝か否かを判定する条件判定手段１１７１と、特別遊技移行条件を充足している場合、当該特別遊技の内容（具体的には、開状態となる大入賞口、ラウンド数、ラウンド間時間等）を特別遊技関連情報一時記憶手段１１９４中にセットする特別遊技内容決定手段１１７２と、大入賞口２０１ａを所定条件で開状態にするという特別遊技（大当り）を実行するための特別遊技実行制御手段１１７３と、大入賞口２０１ａを所定条件で開状態にするという特別遊技（大当り）を実行するための大入賞口制御手段１１７４とを有している。特別遊技内容決定手段１１７２は、特別遊技関連情報一時記憶手段１１９４にセットされるべき前記特別遊技の内容を特定する際に参照される特別遊技内容参照テーブル１１７２ａと、特別遊技実行時における大入賞口２０１ａの開閉態様を決定するための開閉態様決定テーブル１１７２ｂと、を更に有している。特別遊技実行制御手段１１７３は、ラウンド数を計測するラウンド数カウンタ１１７３ａと、終了デモ表示の実行時間を計時するための終了デモ実行タイマ１１７３ｂと、を更に有している。
【０１００】
大入賞口制御手段１１７４は、大入賞口２０１ａの開閉タイミングを管理するためのラウンドタイマ１１７４ａと、入賞待機時間を計測するための入賞待機タイマ１１７４ｂと、ラウンド終了待機時間を計時するためのラウンド終了タイマ１１７４ｃと、メイン側検出センサ２０３ｓが検出した遊技球を計測するメイン側入賞数カウンタ１１７４ｄと、サブ側検出センサ２０６ｓが検出した遊技球を計測するサブ側入賞数カウンタ１１７４ｅと、を更に有している。
【０１０１】
また、遊技状態一時記憶手段１１９０は、第１主遊技（第１主遊技図柄の変動から停止に至るまでの遊技）における現在の遊技状態を一時記憶するための第１主遊技状態一時記憶手段１１９１と、第２主遊技（第２主遊技図柄の変動から停止に至るまでの遊技）における現在の遊技状態を一時記憶するための第２主遊技状態一時記憶手段１１９２と、補助遊技における現在の遊技状態を一時記憶するための補助遊技状態一時記憶手段１１９３と、特別遊技における現在の遊技状態（例えば、ラウンド数、任意のラウンドにおける遊技球の入賞個数、特別遊技に関する各種フラグのオンオフ等）を一時記憶するための特別遊技関連情報一時記憶手段１１９４と、特定遊技における現在の遊技状態（例えば、時短の残り回数、特定遊技に関する各種フラグのオンオフ等）を一時記憶するための特定遊技関連情報一時記憶手段１１９５と、を有している。なお、確率変動遊技状態時における大当り当選確率は、非確率変動遊技状態時における大当り当選確率よりも高確率となるように構成されている。
【０１０２】
次に、遊技周辺機器Ｋについて説明する。尚、一部の周辺機器については既に詳細構成を述べたので、残る構成について簡潔に説明する。遊技周辺機器Ｋは、第１主遊技側の周辺機器である第１主遊技周辺機器Ａｋと、第２主遊技側の周辺機器である第２主遊技周辺機器Ｂｋと、第１主遊技側と第２主遊技側の共用周辺機器である第１・第２主遊技共用周辺機器Ｃｋと、補助遊技に関する補助遊技周辺機器Ｄｋと、サブメイン制御部２３２０と、サブサブ制御部２３１０と、を有している。ここで、サブメイン制御部２３２０により制御される演出は、第１主遊技図柄及び第２主遊技図柄の変動と時間的に同期の取れた形での装飾図柄の変動を含め、遊技の結果に影響を与えない情報のみの表示に係るものである。以下、これらの周辺機器を順番に説明する。
【０１０３】
第１主遊技周辺機器Ａｋは、特別遊技移行の契機となる第１始動入賞口１１４ａと、第１主遊技図柄の停止表示及び変動表示が可能な第１主遊技図柄表示装置２１３０と、を有している。
【０１０４】
第２主遊技周辺機器Ｂｋは、特別遊技移行の契機となる第２始動入賞口１３１ａと、第２主遊技図柄の停止表示及び変動表示が可能な第２主遊技図柄表示装置２２３０と、を有している。
【０１０５】
第１・第２主遊技共用周辺機器Ｃｋは、通常遊技の際には閉状態にあり、特別遊技（大当り）のラウンドの際には所定条件下で開状態となる大入賞口２０１ａを有している。
【０１０６】
補助遊技周辺機器Ｄｋは、第２始動入賞口１３１ａの始動入賞口開閉部材１３２の開放の契機となる補助遊技始動ゲート１１７と、補助遊技図柄の停止表示及び変動表示が可能な補助遊技図柄表示装置２４２０とを有している。
【０１０７】
サブメイン制御部２３２０は、主制御装置１０００側からの各種情報を受信するための表示情報受信手段２３２１と、装飾図柄の変動態様や停止図柄の決定処理及び表示制御処理を司る装飾図柄表示制御手段２３２２と、装飾図柄の保留個数管理や保留表示処理を司る装図保留情報表示制御手段２３２３と、演出制御全般に係る情報を一時記憶するための演出一般情報一時記憶手段２３２４と、各種エラーの報知に関する制御処理を司るエラー制御手段２３２５と、サブサブ制御部２３１０側との情報送受信を制御する情報送受信制御手段２４００と、を有している。
【０１０８】
サブサブ制御部２３１０は、演出表示装置１２５の表示領域に設けられた装飾図柄表示領域２３１１、第１保留表示部２３１２ａ、第２保留表示部２３１２ｂへ画像を表示する画像表示制御手段２３１３と、サブメイン制御部２３２０側との情報送受信を制御する副情報送受信制御手段２４５０と、を有している。ここで、画像表示制御手段２３１３は、サブメイン制御部２３２０側から受信したコマンドや各種画像表示に係る情報を一時記憶するための画像表示関連情報一時記憶手段（図示せず）を更に有している。
【０１０９】
なお、第１主遊技図柄表示装置２１３０、第２主遊技図柄表示装置２２３０及び補助遊技図柄表示装置２４２０が、主制御装置１０００と情報伝達可能に接続されており、残るサブサブ制御部２３１０が、サブメイン制御部２３２０と情報伝達可能に接続されている。即ち、第１主遊技図柄表示装置２１３０、第２主遊技図柄表示装置２２３０及び補助遊技図柄表示装置２４２０は、主制御装置１０００により制御され、サブサブ制御部２３１０は、サブメイン制御部２３２０により制御されることを意味する。なお、主制御装置１０００と片方向通信（一方向通信）により制御される他の周辺機器を介して、別の周辺機器を制御するように構成してもよい。
【０１１０】
［主制御装置のメインフロー］
次に、図２９に示すメインフローチャートを用いて、主制御装置１０００が行う一般的な処理の流れについて説明する。遊技機の電源投入後、図２９（ａ）の処理が実行される。即ち、遊技機の電源投入後、初期設定を行った後（不図示）、ステップＳ４００２で、主制御装置１０００は、ＲＡＭクリアボタンの入力ポートを確認し、電源供給ユニット３５００のリセットボタン（ＲＡＭクリアボタン）が操作されたか否か、即ち、遊技場の管理者等によって意図的にＲＡＭの内容をクリアさせる操作が行われたか否かを判定する。ステップＳ４００２でＹｅｓの場合、ステップＳ４００４で、主制御装置１０００は、主制御装置１０００側のＲＡＭ内容（例えば、遊技状態一時記憶手段１１９０内の情報等）を全てクリアする。次に、ステップＳ４００６で、情報送信制御手段１３００は、主制御装置１０００のＲＡＭをクリアしたことを示すラムクリア情報（コマンド）をサブメイン制御部２３２０側に送信し（当該タイミングにて送信してもよいし、当該タイミングではコマンドをセットしておき後述する制御コマンド送信処理にて送信するよう構成してもよい）、ステップＳ４０１８の処理に移行する。他方、ステップＳ４００２でＮｏの場合は、ステップＳ４００８で、主制御装置１０００は、主制御装置１０００におけるＲＡＭ領域の内容をチェックする（例えば、電断時に記録されたチェックサムとＲＡＭ領域に保存されている情報量との比較を行う）。
【０１１１】
次に、ステップＳ４０１０で、主制御装置１０００は、当該チェック結果に基づきＲＡＭの内容が正常でないか否か（正確に電断時の情報がＲＡＭにバックアップされていないか否か）を判定する。ステップＳ４０１０でＹｅｓ、即ちＲＡＭにバックアップされていたデータが異常な場合には、ステップＳ４００４の処理（前述したＲＡＭクリア処理）に移行する。他方、ステップＳ４０１０でＮｏ、即ちＲＡＭにバックアップされていたデータが正常な場合、ステップＳ４０１２で、主制御装置１０００は、各種情報コマンドをサブメイン制御部２３２０側に送信する（当該タイミングにて送信してもよいし、当該タイミングではコマンドをセットしておき後述する制御コマンド送信処理にて送信するよう構成してもよい）。次に、ステップＳ４０１３で、主制御装置１０００は、特定遊技関連情報一時記憶手段１１９５のフラグエリアを参照し、確変移行予約フラグがオンであるか否かを判定する。ステップＳ４０１３でＹｅｓの場合、ステップＳ４０１４で、主制御装置１０００は、高利益再表示コマンドをサブメイン制御部２３２０側に送信し（当該タイミングにて送信してもよいし、当該タイミングではコマンドをセットしておき後述する制御コマンド送信処理にて送信するよう構成してもよい）、ステップＳ４０１５に移行する。他方、ステップＳ４０１３でＮｏの場合にも、ステップＳ４０１５に移行する。
【０１１２】
次に、ステップＳ４０１５で、主制御装置１０００は、メイン側入賞数カウンタ１１７４ｄ及びサブ側入賞数カウンタ１１７４ｅをリセットし、ステップＳ４０１８に移行する。次に、ステップＳ４０１８で、主制御装置１０００は、図２９（ｂ）のステップＳ１０００によって示される主制御装置１０００側のメイン処理に係る実行定時割り込み（例えば、約１．５ｍｓ毎のハードウェア割り込みを契機とするが、本例では、当該割り込み周期をＴとする）を許可し（その結果、当該実行定時割り込みタイミング到達時には、同図のステップＳ１０００が実行されることとなる）、ステップＳ４０２０の処理に移行する。尚、ステップＳ４０２０に移行後は、次の定時割り込みタイミングに到達するまで、主制御装置１０００は、各種乱数更新処理（例えば、乱数カウンタのインクリメント処理）を繰り返し実行することとなる。
【０１１３】
次に、タイマ割り込み処理について説明する。主制御装置１０００は、定時割り込みタイミングに到達した場合に発生する割り込み要求に基づいて、図２９（ｂ）の処理を実行する。即ち、定時割り込み周期Ｔの到達時（例えば、約１．５ｍｓ毎のハードウェア割り込み）を契機として、ステップＳ１１００で、主制御装置１０００は、後述の補助遊技内容決定乱数取得処理を実行する。次に、ステップＳ１２００で、主制御装置１０００は、後述の電動役物駆動判定処理を実行する。次に、ステップＳ１３００で、主制御装置１０００は、後述の主遊技内容決定乱数取得処理を実行する。次に、ステップＳ１４００で、主制御装置１０００は、後述の主遊技図柄表示処理を実行する。次に、ステップＳ２０００で、主制御装置１０００は、後述の特別遊技作動条件判定処理を実行する。次に、ステップＳ２１００で、主制御装置１０００は、後述の特別遊技制御処理を実行する。次に、ステップＳ３０００で、主制御装置１０００（特に賞球払出決定手段１４００）は、遊技球が入賞した入賞口に基づき、賞球払出制御処理（賞球払出ユニット３３の駆動制御等を払出制御装置３０００に実行させ、その結果を管理するための処理等）を実行する。次に、ステップＳ３１００で、主制御装置１０００は、外部信号の出力処理（外部端子板、ホールコンピュータＨ等への情報出力）を実行する（遊技関連情報、排出球異常情報、不正検知コマンド等を送信する）。次に、ステップＳ３２００で、主制御装置１０００は、制御コマンド送信処理（前述の各処理でセットされたコマンドをサブメイン制御部側に送信し、サブメイン制御部２３２０側では当該コマンドに従って演出が実行されることとなる）を実行し、本割り込み処理の実行直前に実行されていた処理に復帰する。
【０１１４】
次に、ＮＭＩ割り込み処理について説明する。前述の通り、主制御装置１０００は、リセットＩＣからの電断信号がＣＰＵのＮＭＩ端子に入力されるように構成されており、遊技機における電源断時において、図２９（ｃ）の処理が実行される。即ち、遊技機の電源断時（本例では、ＮＭＩ割り込み時）において、ステップＳ４６０４で、主制御装置１０００は、ＲＡＭ領域の情報に基づき電断時情報（例えば、チェックサム）をセットする。次に、ステップＳ４６０６で、主制御装置１０００は、ＲＡＭ領域への書き込みを禁止すると共に、タイマ割り込み処理を禁止し、電源断待ちループ処理に移行する。
【０１１５】
［主制御装置のサブフロー］
次に、図３０に示すフローチャートを用いて、図２９におけるステップＳ２１００のサブルーチンに係る特別遊技制御処理について説明する。まず、ステップＳ２１０２で、特別遊技実行制御手段１１７３は、特別遊技関連情報一時記憶手段１１９４のフラグエリアを参照し、条件装置作動フラグがオンであるか否かを判定する。ステップＳ２１０２でＹｅｓの場合、ステップＳ２１５０で、特別遊技実行制御手段１１７３は、特別遊技開始制御処理を実行する。次に、ステップＳ２２００で、特別遊技実行制御手段１１７３は、後述する大入賞口制御処理を実行する。次に、ステップＳ２５００で、特別遊技実行制御手段１１７３は、特別遊技終了制御処理を実行し、本サブルーチンの呼び出し元に復帰する。他方、ステップＳ２１０２でＮｏの場合、特別遊技実行制御手段１１７３は、特別遊技を実行するタイミングではないと判定し、本サブルーチンの呼び出し元に復帰する。
【０１１６】
次に、図３１示すフローチャートを用いて、図３０におけるステップＳ２２００のサブルーチンに係る大入賞口制御処理について説明する。まず、ステップＳ２２０２で、大入賞口制御手段１１７４は、特別遊技関連情報一時記憶手段１１９４のフラグエリアを参照し、入賞制御継続中フラグがオンであるか否かを判定する。ステップＳ２２０２でＹｅｓの場合には、ステップＳ２２５０に移行する。他方、ステップＳ２２０２でＮｏの場合には、ステップＳ２２０４で、大入賞口制御手段１１７４は、特別遊技関連情報一時記憶手段１１９４のフラグエリア内にある、入賞制御継続中フラグをオンにする。次に、ステップＳ２２０６で、大入賞口制御手段１１７４は、大当り図柄及びラウンド数カウンタ値に基づき、開放態様決定テーブル１１７２ｂ（図３２も参照）を参照し、大入賞口２０１ａの開放態様をセットする。
【０１１７】
次に、ステップＳ２２０８で、大入賞口制御手段１１７４は、メイン側入賞数カウンタ１１７４ｄ及びサブ側入賞数カウンタ１１７４ｅのカウンタ値をリセット（ゼロクリア）する。次に、ステップＳ２２１０で、大入賞口制御手段１１７４は、ラウンドタイマ１１７４ａをスタートさせ、ステップＳ２２５０に移行する。ステップＳ２２０２〜ステップＳ２２１０までが初期処理段階であり、特別遊技における大入賞口２０１ａの開閉に係るラウンド実行時の初期処理を本処理にて行っている。
【０１１８】
次に、ステップＳ２２５０で、大入賞口制御手段１１７４は、大入賞口開閉制御処理を実行し、ステップＳ２３００に移行する。次に、ステップＳ２３００で、大入賞口制御手段１１７４は、準備時間制御処理を実行する。次に、ステップ２３５０で、大入賞口制御手段１１７４は、入賞制御処理を実行する。次に、ステップ２４００で、大入賞口制御手段１１７４は、ラウンド制御終了処理を実行し、本サブルーチンの呼び出し元に復帰する。
【０１１９】
ここで、図３２は、大入賞口２０１ａの開放態様を決定する際に参照される、開放態様決定テーブル１１７２ｂの一例である。本実施形態における特別遊技では、複数のラウンドに亘り、長開放（長開放Ａ及び長開放Ｂ）と短開放の組み合わせ（もしくは一方のみ）による開放態様で大入賞口２０１ａが開放される。例えば、第１の当り図柄（１６ラウンドの大当り図柄）Ｚ１に係る特別遊技では、第１ラウンドが長開放Ａであり、第２〜第１２ラウンドが長開放Ｂであり、第１３〜第１６ラウンドが短開放である。第２の当り図柄（１６ラウンドの大当り図柄）Ｚ２に係る特別遊技では、第１ラウンドが長開放Ａであり、第２〜第４ラウンドが長開放Ｂであり、第５〜第１６ラウンドが短開放である。第３の当り図柄（４ラウンドの大当り図柄）Ｚ３に係る特別遊技では、第１ラウンドが長開放Ａであり、第２〜第４ラウンドが長開放Ｂである。第４の当り図柄（１６ラウンドの大当り図柄）Ｚ４に係る特別遊技では、第１ラウンドが長開放Ａであり、第２〜第１６ラウンドが長開放Ｂである。第５の当り図柄（小当り図柄）Ｚ５に係る特別遊技では、第１ラウンドが短開放である。
【０１２０】
なお、長開放Ａは、「２８０００ｍｓの開放＋１９５６ｍｓの閉鎖＋５２ｍｓの開放」という開放パターンである。長開放Ｂは、「２８０００ｍｓの開放」という開放パターンである。短開放は、「５２ｍｓの開放」という開放パターンである。第１ラウンドが長開放の場合は長開放Ａの開放パターンが選択され、第２ラウンド以降が長開放の場合は長開放Ｂの開放パターンが選択される。長開放Ａの開放パターンを用いることで、１つのラウンドで大入賞口が２度開放される開放パターンが採用された遊技機と、制御ソフトウェアの共用化を図ることが可能である。また、本実施形態において、大入賞口２０１ａの選択し得る開放態様は、長開放Ａと、長開放Ｂと、短開放の３種類のみであるが、これに限定されるものではなく、どのような開放時間や開放パターンを選択しても何ら問題ない。
【０１２１】
［作用］
次に、図３３〜図３５を参照しながら、本実施形態における作用について説明する。
【０１２２】
［長開放Ａの場合］
第１の例として、長開放Ａの単位遊技を含む「ある特別遊技」における「あるラウンド」に着目して説明する。具体的には、第１の当り図柄Ｚ１に係る特別遊技の第１ラウンドを例に説明する。第１の当り図柄Ｚ１に係る特別遊技の第１ラウンドにおいて、大入賞口２０１ａは、「２８０００ｍｓの開放・１９５６ｍｓの閉鎖・５２ｍｓの開放・閉鎖」の順に動作する。
【０１２３】
図３３は、大入賞口２０１ａの開放態様が長開放Ａの場合の動作内容について示したタイミングチャートである。はじめに、図３３におけるＮ１のタイミング（特別遊技の第１ラウンドの開始タイミング）において、大入賞口制御手段１１７４から開閉ソレノイド２６１に、開閉ソレノイド２６１を作動状態にする開放駆動信号が出力される。また、Ｎ１のタイミングにおいて、大入賞口制御手段１１７４から開閉ソレノイド２６１に、開閉ソレノイド２６１の作動状態を保持する開放保持信号が出力される。これにより、開閉ソレノイド２６１が作動状態となり、大入賞口２０１ａが開放されて大入賞装置１４０が作動を開始し、特別遊技の第１ラウンドが開始される。なお、図３３におけるＮ０のタイミングとＮ１のタイミングとの間は、当りデモ表示時間となる。当りデモ表示時間は、例えば、第１の当り図柄Ｚ１に係る特別遊技の場合、１００００ｍｓに設定される。
【０１２４】
開放保持信号は、開放駆動信号よりも低い電圧（電力）に設定される。このように、開放駆動信号よりも低い電圧の開放保持信号を用いることで、作動状態における開閉ソレノイド２６１の過熱を防止することができる。また、開放駆動信号と同じタイミングで開放保持信号の出力がオンになることで、開放駆動信号および開放保持信号のオンオフ制御を容易にすることができる。
【０１２５】
次に、図３３におけるＮ２のタイミングにおいて、大入賞口２０１ａの開放から１００ｍｓが経過したことを契機として、開放駆動信号の出力がオフになる。このとき、開放保持信号の出力がオンであるため、開閉ソレノイド２６１が作動状態のままとなり、大入賞口２０１ａの開放状態が保持される。
【０１２６】
次に、図３３におけるＮ３のタイミングにおいて、大入賞口２０１ａの開放から２８０００ｍｓが経過したことを契機として、開放保持信号の出力がオフになる。これにより、開閉ソレノイド２６１が非作動状態となり、大入賞口２０１ａが（１９５６ｍｓだけ）閉鎖される。
【０１２７】
次に、図３３におけるＮ４のタイミングにおいて、大入賞口２０１ａの閉鎖から１９５６ｍｓが経過したことを契機として、開放駆動信号の出力がオンになる。また、Ｎ４のタイミングにおいて、開放保持信号の出力がオンになる。これにより、大入賞口２０１ａが再び開放される。
【０１２８】
次に、図３３におけるＮ５のタイミングにおいて、大入賞口２０１ａの開放から５２ｍｓが経過したことを契機として、開放駆動信号の出力がオフになる。また、Ｎ５のタイミングにおいて、開放保持信号の出力がオフになる。これにより、開閉ソレノイド２６１が非作動状態となり、大入賞口２０１ａが閉鎖されて大入賞装置１４０が作動を停止する。なお、図３３におけるＮ３のタイミングが経過する前に、メイン側入賞数カウンタ１１７４ｄのカウンタ値とサブ側入賞数カウンタ１１７４ｅのカウンタ値との合計が所定の最大入賞数になった場合、開放保持信号の出力がオフになり、大入賞口２０１ａが閉鎖されて大入賞装置１４０が作動を停止する。
【０１２９】
なお、特別遊技の第１ラウンドにおいて大入賞装置１４０が作動を停止してから次の第２ラウンドが開始されるまでの間に、大入賞口２０１ａのラウンド間閉鎖時間が設けられる。本実施形態において、大入賞口２０１ａのラウンド間閉鎖時間は、発射機構２１により遊技球を連続的に打ち出すことが可能な設計的な時間間隔と同じ６００ｍｓに設定される。
【０１３０】
［長開放Ｂの場合］
第２の例として、長開放Ｂの単位遊技を含む「ある特別遊技」における「あるラウンド」に着目して説明する。具体的には、第１の当り図柄Ｚ１に係る特別遊技の第２ラウンドを例に説明する。第１の当り図柄Ｚ１に係る特別遊技の第２ラウンドにおいて、大入賞口２０１ａは、「２８０００ｍｓの開放・閉鎖」の順に動作する。
【０１３１】
図３４は、大入賞口２０１ａの開放態様が長開放Ｂの場合の動作内容について示したタイミングチャートである。はじめに、図３４におけるＮ１１のタイミング（特別遊技の第２ラウンドの開始タイミング）において、開放駆動信号の出力がオンになる。また、Ｎ１１のタイミングにおいて、開放保持信号の出力がオンになる。これにより、開閉ソレノイド２６１が作動状態となり、大入賞口２０１ａが開放されて大入賞装置１４０が作動を開始し、特別遊技の第２ラウンドが開始される。
【０１３２】
次に、図３４におけるＮ１２のタイミングにおいて、大入賞口２０１ａの開放から１００ｍｓが経過したことを契機として、開放駆動信号の出力がオフになる。このとき、開放保持信号の出力がオンのままであり、大入賞口２０１ａが開放された状態が保持される。
【０１３３】
次に、図３４におけるＮ１３のタイミングにおいて、大入賞口２０１ａの開放から２８０００ｍｓが経過したことを契機として、開放保持信号の出力がオフになる。これにより、開閉ソレノイド２６１が非作動状態となり、大入賞口２０１ａが閉鎖されて大入賞装置１４０が作動を停止する。なお、図３４におけるＮ１３のタイミングが経過する前に、メイン側入賞数カウンタ１１７４ｄのカウンタ値とサブ側入賞数カウンタ１１７４ｅのカウンタ値との合計が所定の最大入賞数になった場合、開放保持信号の出力がオフになり、大入賞口２０１ａが閉鎖されて大入賞装置１４０が作動を停止する。
【０１３４】
なお、特別遊技の第２ラウンドにおいて大入賞装置１４０が作動を停止してから次の第３ラウンドが開始されるまでの間に、大入賞口２０１ａのラウンド間閉鎖時間が設けられる。大入賞口２０１ａのラウンド間閉鎖時間は、長開放Ａの場合と同じ６００ｍｓに設定される。
【０１３５】
［短開放の場合］
第３の例として、短開放の単位遊技を含む「ある特別遊技」における「あるラウンド」に着目して説明する。具体的には、第１の当り図柄Ｚ１に係る特別遊技の第１３ラウンドを例に説明する。第１の当り図柄Ｚ１に係る特別遊技の第１３ラウンドにおいて、大入賞口２０１ａは、「５２ｍｓの開放・閉鎖」の順に動作する。
【０１３６】
図３５は、大入賞口２０１ａの開放態様が短開放の場合の動作内容について示したタイミングチャートである。はじめに、図３５におけるＮ２１のタイミング（特別遊技の第１３ラウンドの開始タイミング）において、開放駆動信号の出力がオンになる。また、Ｎ２１のタイミングにおいて、開放保持信号の出力がオンになる。これにより、開閉ソレノイド２６１が作動状態となり、大入賞口２０１ａが開放されて大入賞装置１４０が作動を開始し、特別遊技の第１３ラウンドが開始される。
【０１３７】
次に、図３５におけるＮ２２のタイミングにおいて、大入賞口２０１ａの開放から１００ｍｓが経過したことを契機として、開放駆動信号の出力がオフになる。また、Ｎ２２のタイミングにおいて、開放保持信号の出力がオフになる。これにより、開閉ソレノイド２６１が非作動状態となり、大入賞口２０１ａが閉鎖されて大入賞装置１４０が作動を停止する。
【０１３８】
なお、特別遊技の第１３ラウンドにおいて大入賞装置１４０が作動を停止してから次の第１４ラウンドが開始されるまでの間に、大入賞口２０１ａのラウンド間閉鎖時間が設けられる。大入賞口２０１ａのラウンド間閉鎖時間は、長開放Ａの場合と同じ６００ｍｓに設定される。
【０１３９】
長開放Ａ、長開放Ｂ、および短開放の場合で例示したように、大入賞口２０１ａのラウンド間閉鎖時間は、発射機構２１により遊技球を連続的に打ち出すことが可能な設計的な時間間隔と同じ６００ｍｓに設定される。これにより、大入賞口２０１ａが閉鎖されてから最初に（閉鎖位置にスライド移動した）大入賞口開閉部材２３１に達した遊技球が大入賞口開閉部材２３１の上面を流下して通り過ぎる前に、ラウンド間閉鎖時間が経過して大入賞口２０１ａが再び開放される。そのため、複数のラウンドの間に閉鎖されている大入賞口２０１ａに入球できずにアウト球として排出される遊技球（いわゆる、無駄玉）を減少させることができる。また、大入賞口２０１ａのラウンド間閉鎖時間が従来よりも短くなるため、特別遊技の消化に掛かる時間を減少させることができる。
【０１４０】
また、本実施形態では、メイン側検出センサ２０３ｓおよびサブ側検出センサ２０６ｓによる遊技球の検出が無効になることを契機として、各ラウンドが終了したものと判定される。大入賞口２０１ａのラウンド間閉鎖時間において、メイン側検出センサ２０３ｓおよびサブ側検出センサ２０６ｓによる遊技球の検出が有効となる検出有効時間は、６００ｍｓのうち５９２ｍｓに設定され、メイン側検出センサ２０３ｓおよびサブ側検出センサ２０６ｓによる遊技球の検出が無効となる検出無効時間は、検出有効時間（５９２ｍｓ）が経過した後の８ｍｓに設定される。このように、メイン側検出センサ２０３ｓおよびサブ側検出センサ２０６ｓの検出無効時間が検出有効時間よりも短い８ｍｓ（２割り込み）に設定されることで、ラウンドの終了を判定可能な最小限の時間を確保して大入賞口２０１ａの閉鎖時間を短くしつつ、大入賞口２０１ａが閉鎖されるのとほぼ同時に大入賞口２０１ａを通過した遊技球を確実に検出することができる。
【０１４１】
［本実施形態における特徴構成］
［第１の特徴構成］
以上説明したように、本実施形態では、後側大入賞部材２０１の大入賞口２０１ａを通過して内部空間ＩＳに受容された遊技球が通路底部２０２を右側（一端側）から左側（他端側）へ向けて流下可能に構成され、通路底部２０２の中間部に、通路底部２０２の上流部２０２ａを流下する遊技球が入球可能なメイン側入球口が形成され、通路底部２０２の左端部に、通路底部２０２の下流部２０２ｂを流下する遊技球が入球可能なサブ側入球口が形成されている。これにより、１つの大入賞口２０１ａのみを用いた小型の大入賞装置１４０を用いて、複数のラウンドの間に閉鎖されている大入賞口２０１ａに入球できずにアウト球として排出される遊技球（いわゆる、無駄玉）を減少させることが可能になり、特別遊技の消化に掛かる時間を減少させることが可能になる。また、本実施形態では、通路底部２０２におけるメイン側入球口２０３の左側（他端側）の縁部に、メイン側入球口２０３の右側（一端側）の縁部よりも上方に突出した突出部２０５が設けられている。これにより、通路底部２０２の上流部２０２ａを流下する遊技球がメイン側入球口２０３を飛び越えて通路底部２０２の左側の下流部２０２ｂに達するのを防止することができるため、通路底部２０２の上流部２０２ａを流下する遊技球を、下流部２０２ｂの遊技球と衝突等させることなく、効率よくメイン側入球口２０３に入球させることができる。
【０１４２】
また、閉鎖位置にスライド移動した大入賞口開閉部材２３１と後側大入賞部材２０１の突出部２０５の上下方向の長さは、遊技球Ｂの直径に当該直径よりも小さい所定の距離を加えた長さに設定される。これにより、閉鎖位置にスライド移動した大入賞口開閉部材２３１と後側大入賞部材２０１の突出部２０５との間隙部をなるべく小さくして、大入賞口開閉部材２３１と突出部２０５との間に遊技球が挟まれるのを防止しつつ、通路底部２０２の上流部２０２ａを流下する遊技球を、下流部２０２ｂの遊技球と衝突等させることなく、効率よくメイン側入球口２０３に入球させることができる。
【０１４３】
［第２の特徴構成］
また、本実施形態では、複数のラウンドの間において大入賞口開閉部材２３１により大入賞口２０１ａを閉鎖するラウンド間閉鎖時間は、閉鎖位置にスライド移動した大入賞口開閉部材２３１の上面の右側（一端側）から左側（他端側）までを遊技球が流下する設計的な時間よりも短い時間に設定される。これにより、前述したように、遊技球が大入賞口開閉部材２３１の上面を通り過ぎる前に大入賞口２０１ａが開放され、当該遊技球は大入賞口２０１ａを通過して後側大入賞部材２０１の内部空間ＩＳに受容されるため、複数のラウンドの間に閉鎖されている大入賞口２０１ａに入球できずにアウト球として排出される遊技球（いわゆる、無駄玉）を減少させることができる。
【０１４４】
［第３の特徴構成］
また、本実施形態では、大入賞口２０１ａを閉鎖する大入賞口開閉部材２３１が大入賞口２０１ａの開放を開始してから所定の開放開始時間が経過するまでの間、サブ側入球口２０６に入球する遊技球の比率がメイン側入球口２０３に入球する遊技球の比率よりも高くなり、開放開始時間が経過して大入賞口開閉部材２３１が大入賞口２０１ａを開放する間、メイン側入球口２０３に入球する遊技球の比率がサブ側入球口２０６に入球する遊技球の比率よりも高くなる。これにより、大入賞口開閉部材２３１が大入賞口２０１ａの開放を開始する際に、大入賞口開閉部材２３１の上面を流下していた遊技球と、右流路１２９に導かれて前側大入賞部材１５１および後側大入賞部材２０１の上方に達した遊技球とが、異なる方向から大入賞口２０１ａを通過してメイン側入球口２０３に集中し、メイン側入球口２０３における遊技球の詰まり、もしくは遊技球のチャタリングによる入球の遅れが生じるのを防止することができる。
【０１４５】
［第４の特徴構成］
また、本実施形態では、大入賞口２０１ａを閉鎖する大入賞口開閉部材２３１が大入賞口２０１ａの開放を開始してから１球目に大入賞口２０１ａを通過する遊技球については、サブ側入球口２０６に入球する遊技球の比率がメイン側入球口２０３に入球する遊技球の比率よりも高くなり、２球目以降に大入賞口２０１ａを通過する遊技球については、メイン側入球口２０３に入球する遊技球の比率がサブ側入球口２０６に入球する遊技球の比率よりも高くなる。これにより、大入賞口開閉部材２３１が大入賞口２０１ａの開放を開始する際に、大入賞口開閉部材２３１の上面を流下していた遊技球と、右流路１２９に導かれて前側大入賞部材１５１および後側大入賞部材２０１の上方に達した遊技球とが、異なる方向から大入賞口２０１ａを通過してメイン側入球口２０３に集中し、メイン側入球口２０３における遊技球の詰まり、もしくは遊技球のチャタリングによる入球の遅れが生じるのを防止することができる。
【０１４６】
［第５の特徴構成］
また、本実施形態では、大入賞口開閉部材２３１が所定の開放開始時間よりも長く大入賞口２０１ａを開放する間、メイン側入球口２０３に入球する遊技球の比率とサブ側入球口２０６に入球する遊技球の比率とが、第１のアウト口１１８を通過する遊技球の比率よりも高くなり、且つ、メイン側入球口２０３に入球する遊技球の比率がサブ側入球口２０６に入球する遊技球の比率よりも高くなる。これにより、大入賞口開閉部材２３１が大入賞口２０１ａを開放する間、遊技球の大半の部分をメイン側入球口２０３もしくはサブ側入球口２０６に入球させ、第１のアウト口１１８を通過する遊技球の比率をほぼ零にすることが可能であるため、特別遊技の消化に掛かる時間を減少させることができる。
【０１４７】
［第６の特徴構成］
また、本実施形態では、複数のラウンドの間において大入賞口開閉部材２３１により大入賞口２０１ａを閉鎖するラウンド間閉鎖時間は、発射機構２１により遊技球を連続的に打ち出すことが可能な設計的な時間間隔と同じ時間に設定される。これにより、大入賞口２０１ａが閉鎖されてから最初に（閉鎖位置にスライド移動した）大入賞口開閉部材２３１に達した遊技球が大入賞口開閉部材２３１の上面を流下して通り過ぎる前に、ラウンド間閉鎖時間が経過して大入賞口２０１ａが再び開放される。そのため、複数のラウンドの間に閉鎖されている大入賞口２０１ａに入球できずにアウト球として排出される遊技球（いわゆる、無駄玉）を減少させることができる。
【０１４８】
また、大入賞口２０１ａのラウンド間閉鎖時間において、メイン側検出センサ２０３ｓおよびサブ側検出センサ２０６ｓによる遊技球の検出が有効となる検出有効時間が設定されるとともに、検出有効時間が経過した後の残りの時間に、メイン側検出センサ２０３ｓおよびサブ側検出センサ２０６ｓによる遊技球の検出が無効となる検出有効時間よりも短い検出無効時間が設定される。これにより、大入賞口２０１ａの閉鎖時間を短くしつつ、大入賞口２０１ａが閉鎖されるのとほぼ同時に大入賞口２０１ａを通過した遊技球を確実に検出することができる。
【０１４９】
［第７の特徴構成］
また、本実施形態では、遊技領域ＰＡにおける前側大入賞部材１５１の左側（他端側）に離れた下方に、閉鎖位置にスライド移動した大入賞口開閉部材２３１の上面を流下する遊技球が導かれて通過可能な第１のアウト口１１８が設けられ、遊技領域ＰＡにおける前側大入賞部材１５１の右側（一端側）近傍に、右流路１２９に導かれて前側大入賞部材１５１および後側大入賞部材２０１の上方に達した遊技球の一部が通過可能な第２のアウト口１１９が設けられる。これにより、大入賞口開閉部材２３１が大入賞口２０１ａを開放する状態における、大入賞口２０１ａを通過する遊技球の比率と、大入賞口２０１ａの上流側（一端側）に配置された第２のアウト口１１９を通過する遊技球の比率とを変更することで、特別遊技の消化に掛かる時間に大きな影響を与えることなく、特別遊技により獲得し得る賞球数を調整することが可能になる。
【０１５０】
［第８の特徴構成］
また、本実施形態では、右流路１２９に導かれて前側大入賞部材１５１および後側大入賞部材２０１の上方に達した遊技球については、大入賞口開閉部材２３１が大入賞口２０１ａを閉鎖する場合に、第１のアウト口１１８を通過する遊技球の比率が第２のアウト口１１９を通過する遊技球の比率よりも高くなり、大入賞口開閉部材２３１が大入賞口２０１ａを開放する場合に、第２のアウト口１１９を通過する遊技球の比率が第１のアウト口１１８を通過する遊技球の比率よりも高くなる。これにより、大入賞口２０１ａの上方における遊技釘（図示せず）等のゲージ設定を変更することで、大入賞口開閉部材２３１が大入賞口２０１ａを開放する状態における、大入賞口２０１ａを通過する遊技球の比率と、大入賞口２０１ａの上流側（一端側）に配置された第２のアウト口１１９を通過する遊技球の比率とを変更することができる。そのため、簡便な構成で、特別遊技の消化に掛かる時間に大きな影響を与えることなく、特別遊技により獲得し得る賞球数を調整することが可能になる。
【０１５１】
［第９の特徴構成］
また、本実施形態では、第２のアウト口１１９を通過した遊技球を流下させるアウト球排出通路１６０が第２のアウト口１１９に繋がって設けられ、アウト球排出通路１６０は、第２のアウト口１１９に繋がってベース部材１０１の前面に沿って延びる前側排出通路部１６１を有し、第２のアウト口１１９および前側排出通路部１６１は、前側大入賞部材１５１の右側（一端側）の側部と右側内レール部材１０７とに囲まれて形成される。これにより、アウト球排出通路１６０を構成する通路部材の一部を右側内レール部材１０７と兼用することで、大入賞装置１４０を小型にすることができ、右側内レール部材１０７に囲まれた遊技領域ＰＡのなるべく端側（右下側）に大入賞装置１４０を配置することが可能となる。
【０１５２】
上述の実施形態において、大入賞口２０１ａのラウンド間閉鎖時間は、発射機構２１により遊技球を連続的に打ち出すことが可能な設計的な時間間隔と同じ時間に設定されているが、これに限られるものではなく、発射機構２１により遊技球を連続的に打ち出すことが可能な設計的な時間間隔よりも短い時間に設定されてもよく、上述の実施形態の場合と同様の効果を得ることができる。
【０１５３】
上述の実施形態において、大入賞口２０１ａのラウンド間閉鎖時間の中で、メイン側検出センサ２０３ｓおよびサブ側検出センサ２０６ｓによる遊技球の検出が有効となる検出有効時間と、メイン側検出センサ２０３ｓおよびサブ側検出センサ２０６ｓによる遊技球の検出が無効となる検出無効時間とが設定されているが、これに限られるものではない。例えば、メイン側検出センサ２０３ｓについては、上述の検出有効時間および検出無効時間を設定し、サブ側検出センサ２０６ｓについては、ラウンド間閉鎖時間の全体において遊技球の検出が無効となるように設定することで、メイン側検出センサ２０３ｓとサブ側検出センサ２０６ｓとで制御が異なるようにしてもよい。これにより、ラウンド間閉鎖時間において、サブ側検出センサ２０６ｓを不正に検出作動させる不正行為を防止することができる。
【０１５４】
また例えば、メイン側検出センサ２０３ｓおよびサブ側検出センサ２０６ｓについて、ラウンド間閉鎖時間の全体において遊技球の検出が有効となるように設定してもよい。なおこの場合、開閉ソレノイド２６１に対する開放駆動信号のオンオフと、開放保持信号のオンオフとに基づいて、各ラウンドの終了が判定される。
【０１５５】
上述の実施形態において、大入賞装置１４０は、遊技領域ＰＡの右下部に設けられているが、これに限られるものではなく、例えば、遊技領域ＰＡの左下部に（上述の実施形態と左右対称形状に）設けられてもよく、遊技領域ＰＡにおけるレール部材（左側内レール部材１０６もしくは右側内レール部材１０７）の近傍に設けられていればよい。
【０１５６】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【０１５７】
ＰＭ  ぱちんこ遊技機（弾球遊技機）
ＰＡ  遊技領域
ＩＳ  内部空間
１  外枠
２  内枠
２１  発射機構（２１ａ  ハンマー）
１００  遊技盤
１０１  ベース部材
１０７  右側内レール部材（囲み部材）
１１４  第１始動入賞装置（１１４ａ  第１始動入賞口）
１１８  第１のアウト口
１１９  第２のアウト口
１２０  センター飾り
１２９  右流路
１３０  第２始動入賞装置
１３１  始動入賞部材（１３１ａ  第２始動入賞口）
１４０  大入賞装置（開閉型入賞装置）
１４１  入賞ベース部材
１４５  後側排出通路部
１５０  前側入賞ユニット
１５１  前側大入賞部材
１６０  アウト球排出通路
１６１  前側排出通路部
１６２  連絡通路部
２００  後側入賞ユニット
２０１  後側大入賞部材（２０１ａ  大入賞口）
２０２  通路底部（２０２ａ  上流部、２０２ｂ  下流部）
２０３  メイン側入球口（２０３ｓ  メイン側検出センサ）
２０５  突出部
２０６  サブ側入球口（２０６ｓ  サブ側検出センサ）
２３１  大入賞口開閉部材
１０００  主制御装置
１１００  遊技制御手段
１１３５  当否抽選手段（当否判定手段）
１１７０  特別遊技制御手段
１１７４  大入賞口制御手段（開閉入賞装置制御手段）
【図１】
2020049384.tif 000003
【図２】
2020049384.tif 000004
【図３】
2020049384.tif 000005
【図４】
2020049384.tif 000006
【図５】
2020049384.tif 000007
【図６】
2020049384.tif 000008
【図７】
2020049384.tif 000009
【図８】
2020049384.tif 000010
【図９】
2020049384.tif 000011
【図１０】
2020049384.tif 000012
【図１１】
2020049384.tif 000013
【図１２】
2020049384.tif 000014
【図１３】
2020049384.tif 000015
【図１４】
2020049384.tif 000016
【図１５】
2020049384.tif 000017
【図１６】
2020049384.tif 000018
【図１７】
2020049384.tif 000019
【図１８】
2020049384.tif 000020
【図１９】
2020049384.tif 000021
【図２０】
2020049384.tif 000022
【図２１】
2020049384.tif 000023
【図２２】
2020049384.tif 000024
【図２３】
2020049384.tif 000025
【図２４】
2020049384.tif 000026
【図２５】
2020049384.tif 000027
【図２６】
2020049384.tif 000028
【図２７】
2020049384.tif 000029
【図２８】
2020049384.tif 000030
【図２９】
2020049384.tif 000031
【図３０】
2020049384.tif 000032
【図３１】
2020049384.tif 000033
【図３２】
2020049384.tif 000034
【図３３】
2020049384.tif 000035
【図３４】
2020049384.tif 000036
【図３５】
2020049384.tif 000037